(57)【要約】【課題】遊技に対する興趣性の向上を図ることのできる遊技機を提供する。【解決手段】第１の始動口３３に設けられた作動口スイッチにおける遊技球の入賞検出のタイミングで、第１乱数発生部での大当り乱数カウンタの値が大当たり値であって、かつ、第１図柄表示装置４２に表示される停止図柄が図形図柄であった場合、大入賞口３２Ａは開放・閉鎖を所定回数繰り返す動作をせず、代わりに小入賞口４３０が、短時間に数回だけ開放・閉鎖を繰り返す動作をさせる経緯で確変状態に移行する。したがって、通常の経緯とは異なる経緯で確変状態となるので、外れであると誤解した状態で遊技を継続していた遊技者に対して、突然に確変状態になったと錯覚させることができる。【選択図】図４
2014147733.tif 000002
【特許請求の範囲】
【請求項１】
始動口に遊技球が入球したことを検出手段が検出すると、その検出結果に基づいて制御手段において記録された乱数から各種カウンタ値を抽選し、所定のカウンタ値を取得したときに表示手段に表示演出される識別変動表示が所定の絵柄で停止すると遊技に対する付加価値を遊技者に与える第１遊技状態と、前記第１遊技状態とは異なる付加価値を与える第２遊技状態となる遊技機において、
前記第２遊技状態に移行するまでの第１経緯と、前記第１経緯とは異なる経緯で第２遊技状態に移行させる第２遊技状態移行手段を備えたことを特徴とする遊技機。
【発明の詳細な説明】
【技術分野】
【０００１】
この発明は、パチンコ機やスロットマシン等の遊技機に関する。
【背景技術】
【０００２】
従来、遊技機の代表としてパチンコ機がある。このパチンコ機では、始動口に遊技球が入球したことを検出したときの所定条件に基づき、所定の特別図柄が特別図柄表示装置の画面に同じ数字図柄の組み合わせで揃うことにより大当たり状態になるものがある。また、大当たり状態となった後に、さらに遊技者に付加価値を与えるものがある。例えば、遊技者にとって、さらに多くの利益を獲得できるように、大当たりになる確率が高くなる状態（以下、適宜「確変状態」という）となるように構成されているものがある（例えば、特許文献１参照）。
【先行技術文献】
【特許文献】
【０００３】
【特許文献１】特開２００３−１６９９３５号公報（図１）
【発明の概要】
【発明が解決しようとする課題】
【０００４】
しかしながら、このような構成を有する従来例の場合には、次のような問題がある。
すなわち、従来のパチンコ機では、大当たり状態になる場合、および確変状態になる場合において、その状態に移行するまでの経緯が画一的であって、遊技の興趣性の向上が図れないものになっているといった問題がある。
【０００５】
本発明は、このような事情に鑑みてなされたものであって、遊技に対する興趣性の向上を図ることのできる遊技機を提供することを主たる目的とする。
【課題を解決するための手段】
【０００６】
この発明は、このような目的を達成するために、次のような構成をとる。
すなわち、請求項１に記載の発明は、始動口に遊技球が入球したことを検出手段が検出すると、その検出結果に基づいて制御手段において記録された乱数から各種カウンタ値を抽選し、所定のカウンタ値を取得したときに表示手段に表示演出される識別変動表示が所定の絵柄で停止すると遊技に対する付加価値を遊技者に与える第１遊技状態と、前記第１遊技状態とは異なる付加価値を与える第２遊技状態となる遊技機において、
前記第２遊技状態に移行するまでの第１経緯と、前記第１経緯とは異なる経緯で第２遊技状態に移行させる第２遊技状態移行手段を備えたことを特徴とするものである。
【０００７】
［作用・効果］  請求項１に記載の発明によれば、第２遊技状態移行手段は、第２遊技状態に移行するまでの第１経緯と、この第１経緯とは異なる経緯で同じ第２遊技状態へと移行させる。つまり、第１経緯とは異なる経緯で第２遊技状態へと移行させることができるので、遊技者は、いずれの経緯が第２遊技状態に移行するのかを容易、かつ、明確に判断することができない。例えば、識別変動表示が所定絵柄で停止するときに、または停止以前に、第２遊技状態への移行の判定が行なわれ、第２遊技状態に移行することが判定されて大入賞口の開放・閉鎖動作を繰り返す動作の経緯を経て、従来通りに第２遊技状態へと移行するが、この経緯以外に大入賞口が開放・閉鎖動作を繰り返さない場合などにおいても、第２遊技状態へと移行する場合などがある。
【０００８】
すなわち、遊技者は、第２遊技状態への移行の有無を特定することが困難となり、突然に第２遊技状態に移行したものと錯覚する。その結果、遊技者にとっては突然の第２遊技状態の移行により遊技に対する面白みが増すので、遊技に対する興趣性の向上を図ることのできる遊技機を提供することができる。
【発明の効果】
【０００９】
この発明に係る遊技機によれば、第２遊技状態に移行する第１経緯以外に異なる経緯で第２遊技状態に移行させる第２遊技状態移行手段を備えることで、第２遊技状態に移行する経緯を分散させることができる。つまり、遊技者はいずれの経緯で第２遊技状態に移行するか否かを容易、かつ、明確に判断することができなくなる。その結果、遊技者は、第２遊技状態への移行の有無を特定することが困難となり、突然に第２遊技状態に移行したものと錯覚し、遊技に対する面白みが増すことになる。すなわち、遊技の興趣性の向上を図ることのできる遊技機を提供することができる。
【図面の簡単な説明】
【００１０】
【図１】本発明の実施例のパチンコ機の概略正面図である。
【図２】内枠及び前面枠セットを開放した状態のパチンコ機を示す斜視図である。
【図３】前面枠セットを開放した状態における内枠等を示す正面図である。
【図４】遊技盤の構成を示す正面図である。
【図５】前面枠セットの構成を示す背面図である。
【図６】パチンコ機の構成を示す背面図である。
【図７】パチンコ機の背面構成を主要部品毎に分解して示す分解斜視図である。
【図８】パチンコ機裏面における第１制御基板ユニット、第２制御基板ユニット及び裏パックユニットの配置を示す模式図である。
【図９】内枠及び遊技盤の構成を示す背面図である。
【図１０】内枠の背面構成を示す斜視図である。
【図１１】遊技盤の背面構成を示す斜視図である。
【図１２】支持金具の構成を示す斜視図である。
【図１３】第１制御基板ユニットの構成を示す正面図である。
【図１４】第１制御基板ユニットの構成を示す斜視図である。
【図１５】第１制御基板ユニットの分解斜視図である。
【図１６】第１制御基板ユニットの背面構成を示す分解斜視図である。
【図１７】第２制御基板ユニットの構成を示す正面図である。
【図１８】第２制御基板ユニットの構成を示す斜視図である。
【図１９】第２制御基板ユニットの分解斜視図である。
【図２０】裏パックユニットの構成を示す正面図である。
【図２１】裏パックユニットの分解斜視図である。
【図２２】タンクレールの分解斜視図である。
【図２３】パチンコ機の電気的構成を示すブロック図である。
【図２４】第１図柄表示装置の表示内容を示す説明図である。
【図２５】遊技制御に用いる各種カウンタの概要を示す説明図である。
【図２６】主制御装置によるメイン処理を示すフローチャートである。
【図２７】通常処理を示すフローチャートである。
【図２８】外れ図柄カウンタの更新処理を示すフローチャートである。
【図２９】第１図柄変動処理処理を示すフローチャートである。
【図３０】変動開始処理を示すフローチャートである。
【図３１】タイマ割込み処理を示すフローチャートである。
【図３２】始動入賞処理を示すフローチャートである。
【図３３】ＮＭＩ割込み処理を示すフローチャートである。
【図３４】払出制御装置によるメイン処理を示すフローチャートである。
【図３５】払出制御処理を示すフローチャートである。
【図３６】賞球制御処理を示すフローチャートである。
【図３７】貸球制御処理を示すフローチャートである。
【図３８】実施例に係るパチンコ機の可変表示ユニットの正面図である。
【図３９】実施例１に係るパチンコ機の制御系の概略構成を示したブロック図である。
【図４０】大当たり図柄の組み合わせの表示を示す図である。
【図４１】大当たり図柄の組み合わせの表示を示す図である。
【図４２】実施例２の装飾部品の要部構成を示す正面図である。
【図４３】搖動部材の要部およびその周辺の構成を示す側面図である。
【図４４】実施例２の搖動部材の動作を説明する図である。
【図４５】実施例２に係るパチンコ機の制御系の概略構成を示したブロック図である。
【図４６】実施例３の装飾部品の要部構成を示す正面図である。
【図４７】実施例３の搖動部材の動作を説明する図である。
【図４８】実施例３に係るパチンコ機の制御系の概略構成を示したブロック図である。
【図４９】変形例に係るパチンコ機の制御系の概略構成を示したブロック図である。
【発明を実施するための形態】
【００１１】
本明細書は、次のような遊技機に係る発明も開示している。
【００１２】
なお、第１遊技状態および第２遊技状態とは、大当たり状態や、この大当たり状態よりも遊技者に付加価値を与える確変状態のことを言う。なお，確変状態とは、例えば、始動口に遊技球が入球することを検出手段により検出した結果に基づいて、乱数による抽選で取得した各種カウンタ値により、表示手段における表示演出の識別変動が所定の絵柄で停止して大当たりになると、以後、所定の条件の下で大当たりとなる確率が高くなる状態のことを言う。
【００１３】
（１）  請求項１に記載の遊技機において、
前記第２遊技状態移行手段は、第２遊技状態に移行させる複数個の経緯を有し、これら経緯のうちの少なくとも１個が視認しづらいことを特徴とする遊技機。
【００１４】
前記（１）に記載の発明によれば、第２遊技状態移行手段は、第２遊技状態に移行させるための複数個の経緯を有し、これら経緯のうちの少なくとも１個が視認しづらくなっている。そのため、視認しづらい１個の経緯を経て第２遊技状態に移行すると、遊技者はその経緯を経たことに、さらに気付きづらくなる。すなわち、複数あるうちの所定の経緯から第２遊技状態に移行したにも関わらす、突然に第２遊技状態に移行したもであると遊技者は錯覚するので、請求項１に記載の遊技機を好適に実施することができる。
【００１５】
（２）  請求項１または前記（１）に記載の遊技機において、
前記第２遊技状態移行手段は、
遊技球の入球を検出する入球検出手段と、
前記入球検出手段が遊技球の入球を検出すると第２遊技状態に移行するか否かを判定する判定手段と、
前記判定手段により第２遊技状態に移行すると判定されたとき、第２遊技状態への移行を示すための動作をする複数個の動作部材とから構成され、
かつ、前記複数個の動作部材のうちの少なくとも１個の動作部材が視認しづらいことを特徴とする遊技機。
【００１６】
前記（２）に記載の発明によれば、第２遊技状態移行手段は、入球検出手段、判定手段、おおび複数個の動作部材とから構成されている。入球検出手段は、遊技球の入球を検出する。判定手段は、入球検出手段が遊技球の入球を検出すると、その検出結果に基づいて、第２遊技状態に移行するか否かを判定する。複数個の動作部材は、判定手段の判定結果において、第２遊技状態に移行すると判定した場合に動作する。これら動作部材のうちの少なくとも１個の動作部材は、遊技者にとって視認しづらいものである。
【００１７】
したがって、判定手段の判定結果に基づいて第２遊技状態に移行するとき、視認しづらい動作部材が動作した場合は、遊技者にとってその動作部材が動作したことを、より気付きづらくすることができる。その結果、突然に第２遊技様態に移行したと錯覚させるのに有効となる。したがって、請求項１および前記（１）の発明を好適に実施することができる。
【００１８】
なお、この発明において、「視認しづらい」とは、動作部材の形状、動作部材の動作、およびこれらの組み合わせによるものである。例えば、動作部材の形状が小さい物や、動作部材の動的変化が小さい場合や動作が速い場合、およびこれらの組み合わせであって、形状が小さくて動的変化が小さい場合、および動作が速い場合がある。
【００１９】
（３）  前記（２）に記載の遊技機において、
前記動作部材は、
同時に複数個の遊技球の入賞を可能とするように前面側に備わった扉の開放・閉鎖の動作を繰り返す大入賞口と、
前記大入賞口よりも小形で遊技球の入賞なしに、または入賞するように前面側に備わった扉の開放・閉鎖の動作をする小入賞口であることを特徴とする遊技機。
【００２０】
前記（３）に記載の発明によれば、動作部材は、大入賞口と小入賞口である。大入賞口は、判定手段が第２遊技状態に移行すると判定したとき、同時に複数個の遊技球の入賞を可能とするように開放・閉鎖の動作を繰り返す。小入賞口は、大入賞口よりも小形であって、判定手段が第２遊技状態に移行すると判定したとき、遊技球の入賞なしに、または入賞するように開放・閉鎖の動作をする。つまり、一方の大入賞口はその形状が大きく、かつ、大きい動作を繰り返すので遊技者にとって視認しやすい。他方の小入賞口は形状が大入賞口よりも小さく、動作も小さいので視認しづらい。したがって、視認しやすい大入賞口と視認しづらい小入賞口とにより、第２遊技状態に移行する経緯に対する遊技者の意識が分散されるとともに、小入賞口の形状および動作が視認しづらいことから、遊技者はその経緯を見落としがちとなる。その結果、第２遊技状態に突然に移行したものと遊技者を錯覚させるの有効となる。
【００２１】
（４）  前記（２）または（３）に記載の遊技機に
前記複数個の動作部材のうちの少なくとも１個が、遊技盤面上で動作するように配設した装飾部材の一部であることを特徴とする遊技機。
【００２２】
前記（４）に記載の発明によれば、複数個の動作部材のうちの少なくとも１個が遊技盤面上に配設した装飾部材の一部である。つまり、装飾部材の全体または一部分が動作するものである。従来のパチンコ機では、大入賞口が動作することにより、第２遊技状態に移行することから、所定の装飾部材が動作して第２遊技状態へ移行することは予期できないものとなる。したがって、所定の装飾部材が動作して第２遊技状態に移行したとき、遊技者がその経緯を知ることができないので、突然に第２遊技状態に移行したものと遊技者を錯覚させるのに有効となる。
【００２３】
（５）  請求項１に記載の遊技機、または前記（１）から（４）のいずれかに一つに記載の遊技機において、
前記表示手段は、絵柄の変動表示演出を表示する識別情報変動表示手段であることを特徴とする遊技機。
【００２４】
前記（５）に記載の発明によれば、識別情報変動表示手段は、始動条件が成立することに基づいて表示演出である識別情報としての絵柄を変動表示し、かつ、その変動停止結果を表示することを含む変動表示演出を表示する。したがって、始動条件が成立することに基づいて識別情報を変動表示し、その変動停止結果を表示するという変動表示演出を実施する遊技機の場合に、遊技者は所定の絵柄で停止したときに第２遊技状態に移行するのではないかと期待させることができる。しかしながら、複数個の経緯で第２遊技状態に移行する第２遊技状態移行手段を備えることで、従来の第２遊技状態に移行させる第１経緯とは異なる経緯で第２遊技状態に移行させることができるので、請求項１および前記（１）から（７）に記載の遊技機を実施するの有効である。
【００２５】
なお、本明細書中の「識別情報」とは、数字絵柄、絵柄またはそれらを組み合わせた絵柄などの表示情報またはその他の表示情報であって、遊技者にとって有利な第２遊技状態への移行の成立・不成立を遊技者に視覚を通じて認識させるための表示情報のことである。
【００２６】
（６）  請求項１に記載の遊技機、または前記（１）から（５）のいずれか一つに記載の遊技機において、
前記絵柄は、数字、文字、図形、キャラクタの絵柄であることを特徴とする遊技機。
【００２７】
前記（６）に記載の発明によれば、絵柄を数字、文字、図形、またはキャラクタの絵柄に分けることにより、判定手段による判定の結果に基づいて、いずれか１つの絵柄で変動表示が停止し、所定の動作部材を動作させることができる。つまり、絵柄の種類を多くすることで、いずれの絵柄のときに第２遊技状態へ移行するか否かの判断をしづらくすることができるともに、第２遊技状態に移行したときに複数個の動作部材のうちのいずれか１個が動作する。したがって、遊技者に対して第２遊技状態に移行する経緯をより一層に判断しづらくすることができる。すなわち、請求項１、前記（１）から（５）に記載の遊技機を好適に実施することができる。
【００２８】
（７）  前記（６）に記載の遊技機において、
前記絵柄は、絵柄ごとに複数の組からなり、
前記表示手段に表示される前記絵柄の変動表示を制御する表示制御手段と、
さらに、変動表示後の停止絵柄が所定絵柄の組み合わせで揃っていないにも関わらず、所定絵柄の組み合わせで揃って停止し、第２遊技状態となったときに行われる表示演出と同じ表示演出を擬似的に行うように前記表示制御手段に指示する擬似表示指示手段と、
を備えたことを特徴とする遊技機。
【００２９】
前記（７）に記載の発明によれば、表示制御手段は、表示手段に表示される絵柄の変動表示を制御する。擬似表示指示手段は、変動表示後の停止絵柄が所定絵柄の組み合わせで揃っていないにも関わらず、その後に、所定絵柄の組み合わせで揃って第２遊技状態となったときに行われる表示演出と同じ表示演出を擬似的に行うように表示制御手段に指示をする。例えば、所定絵柄で停止して大当たりである第１遊技状態にも関わらず、そのときに表示手段に表示される表示演出が第２遊技状態のときに行われる表示演出と同じものが行われる。そのため、遊技者は、遊技機がどのような状態になったときに第２遊技状態になったかを明確に判断することができなくなる。
【００３０】
したがって、動作部材が動作するときに表示手段に所定絵柄以外の絵柄の組み合わせが揃って表示されても、このときに動作部材が動作していることに意識が向かなくなる。その結果、なんらかの絵柄の組み合わせが揃って動作部材が動作して第２遊技状態になったことに遊技者は気付かずに遊技を継続していると、突然に大当たりが連続して第２遊技状態となったことに気付くので、遊技者は、遊技に対してより一層に面白みを抱くことができる。すなわち、遊技に対する興趣性の向上を図れる遊技機を実現することができる。
【００３１】
なお、表示演出としては、絵柄の変動表示以外に次のようなものが挙げられる。例えば、数字や絵柄（図形）絵柄以外の背景絵柄の変動表示や、この背景の色を変更または、背景色を切り換えて点滅表示させるなどの表示演出が挙げられる。
【００３２】
（８）  請求項１に記載の遊技機、または前記（１）から（７）のいずれかに一つに記載の遊技機において、
さらに、遊技進行中または表示演出に連動して音または音楽を出力する発音手段と、
前記発音手段を制御する音声制御手段と、
変動表示後の停止絵柄が所定絵柄で停止していないにも関わらず、所定絵柄で停止して第２遊技状態となったときに前記発音手段から出力される音または音楽と同じものを擬似的に出力するように前記音声制御手段に指示する擬似音声指示手段と、
を備えたことを特徴とする遊技機。
【００３３】
前記（８）に記載の発明によれば、発音手段は、遊技進行中または表示演出に連動して音または音楽を出力する。音声制御手段は、発音手段が出力する音声などを制御する。擬似音声指示手段は、変動表示後の停止絵柄が所定絵柄で停止していないにも関わらず、所定絵柄で停止して第２遊技状態となったときに発音手段から出力される音または音楽と同じものを擬似的に出力するように音声制御手段に指示する。つまり、第２遊技状態に移行していない通常状態または大当たりの第１遊技状態にも関わらず発音手段から出力される音または音楽が第２遊技状態のときに発音手段から出力される音などと同じものが出力されるので、遊技者は、遊技機がどのような状態になったときに第２遊技状態になったかを明確に判断することができなくなる。
【００３４】
したがって、所定絵柄で停止して動作部材が動作したにも関わらず、第２遊技状態になるときに出力されるべき音声が通常状態のときに出力されていたことで、第２遊技状態に移行することに気付きづらくすることができる。このとき、遊技者は、動作部材が動作していることに対しても意識が向かなくなる。その結果、第２遊技状態になったことに遊技者は気付かずに遊技を継続していると、突然に大当たりが連続して第２遊技状態となったことに気付くので、遊技者は、遊技に対して、より一層に面白みを抱くことができる。すなわち、遊技に対する興趣性の向上を図ることができる遊技機を実現することができる。
【００３５】
なお、発音手段としては、例えば、スピーカ、ブザーなどの音を発生することのできるものをいう。また、第２遊技状態に移行するときに出力されるべき音声などは、通常状態で擬似的に出力される確率を低く設定している。
【００３６】
（９）  請求項１に記載の遊技機、または前記（１）から（８）のいずれかに一つに記載の遊技機において、
さらに、遊技進行中または表示演出に連動して装飾用の照明手段の点滅による照明演出を制御する照明演出制御手段と、
変動表示後の停止絵柄が所定絵柄で停止していないにも関わらず、所定絵柄で停止して第２遊技状態となったときに行われる点灯または点滅の照明演出と同じ照明演出を擬似的に行うように前記照明演出制御手段に指示する擬似照明演出指示手段と、
を備えたこと特徴とする遊技機。
【００３７】
前記（９）に記載の発明によれば、照明演出制御手段は、遊技進行中または表示演出に連動して装飾用の照明手段の点灯、点滅による照明演出を制御する。擬似照明演出指示手段は、変動表示後の停止絵柄が所定絵柄で停止していないにも関わらず、所定絵柄で停止して第２遊技状態となったときに行われる点灯、点滅の照明演出と同じ照明演出を擬似的に行うように照明演出制御手段に指示する。つまり、通常の遊技状態にも関わらず照明手段の点灯または点滅による照明演出が第２遊技状態のときと同じ照明演出が行われるので、遊技者は、遊技機がどのような状態になったときに第２遊技状態になったかを明確に判断することができなくなる。
【００３８】
したがって、所定絵柄で停止し動作部材が動作したにも関わらず、第２遊技状態になるときに演出される照明手段の点灯または点滅が、通常状態または大当たりとなった第１遊技状態のときに演出されることで、実際に第２遊技状態に移行することに気付きづらくすることができる。つまり、このとき遊技者は、動作部材が動作していることに対しても意識が向かなくなる。その結果、第２遊技状態になったことに遊技者は気付かずに遊技を継続していると、突然に大当たりが連続して第２遊技状態となったことに気付くので、遊技者は、遊技に対してより一層に面白みを抱くことができる。
【００３９】
（１０）  始動口に遊技球が入球したことを検出手段が検出すると、その検出結果に基づいて主制御手段において記録された乱数から各種カウンタ値を抽選し、所定のカウンタ値を取得したときに表示手段に表示演出される識別変動表示が所定の絵柄で停止すると遊技に対する付加価値を遊技者に与える第１遊技状態と、前記第１遊技状態とは異なる付加価値を与える第２遊技状態となる遊技機において、
遊技球を発射させる発射手段と、
前記発射手段により発射された遊技球に挙動を与えながら流下させる遊技領域を有する遊技盤と、
前記遊技盤上で動作する動作部材と、
前記主制御手段による抽選の結果、前記第１遊技状態と第２遊技状態を含む所定の条件が成立したか否かを判定する判定手段と、
前記判定手段の判定結果に基づいて、前記動作部材を作動制御させる作動制御手段を備えた
ことを特徴とする遊技機。
【００４０】
前記（１０）に記載の発明によれば、発射手段は、遊技球を発射させる。遊技盤は、発射手段により発射された遊技球に挙動を与えながら流下させる遊技領域を有する。動作部材は、遊技盤上で動作する。判定手段は、主制御手段による抽選の結果、第１遊技状態と第２遊技状態を含む所定の条件が成立したか否かを判定する。作動制御手段は、判定手段の判定結果に基づいて、前記動作部材を作動制御させる。
【００４１】
すなわち、この構成によれば、第１遊技状態と第２遊技状態を含む所定の条件が成立した場合に動作部材が動作するので、第２遊技状態への移行が分かりづらい。つまり、遊技者は、突然に第２遊技状態に移行して遊技に対する付加価値を得ることができたものと錯覚する。その結果、遊遊技に対する面白みが増し、遊技に対する興趣性が向上させられる。
【００４２】
なお、第１遊技状態および第２遊技状態とは、大当たり状態や、この大当たり状態よりも遊技者に付加価値を与える確変状態のことを言う。なお，確変状態とは、例えば、始動口に遊技球が入球することを検出手段により検出した結果に基づいて、乱数による抽選で取得した各種カウンタ値により、表示手段における表示演出の識別変動が所定の絵柄で停止して大当たりになると、以後、所定の条件の下で大当たりとなる確率が高くなる状態のことを言う。
【００４３】
（１１）  前記（１０）に記載の遊技機において、
さらに、前記遊技盤には、同時に複数個の遊技球の入賞を可能とするように前記遊技盤の前面側に備わった扉の開放・閉鎖の動作を繰り返す大入賞口と、
前記大入賞口よりも小形で遊技球の入賞を可能とするように前記遊技盤の前面側に備わった扉の開放・閉鎖の動作をする小入賞口とが形成されており、
前記動作部材は、前記遊技盤面に配備された装飾部材の一部であって、
前記装飾部材は、前記遊技球の上部から下部に向けて流下可能な複数本に分岐された誘導路が形成されており、
前記誘導路のうちの１本は、上部から入球した遊技球を前記小入賞口に誘導するように形成されるとともに、当該誘導路が小入賞口の手前で、小入賞口側とは異なる方向に分岐されており、
前記所定条件が成立したとき、前記作動制御手段は、前記動作部材を前記小入賞口の手前の分岐位置に移動させて小入賞口側にある一方の誘導路に遊技球が流下するのを妨げるように閉塞し、当該遊技球を他方に誘導するように構成した
ことを特徴とする遊技機。
【００４４】
前記（１１）に記載の発明によれば、遊技盤には、大入賞口と小入賞口とが形成されている。大入賞口は、同時に複数個の遊技球の入賞を可能とするように遊技盤の前面側に備わった扉の開放・閉鎖の動作を繰り返す。小入賞口は、大入賞口よりも小形で遊技球の入賞を可能とするように遊技盤の前面側に備わった扉の開放・閉鎖の動作をする。動作部材は、遊技盤面に配備された装飾部材の一部である。装飾部材は、遊技球の上部から下部に向けて流下可能な複数本に分岐された誘導路が形成されており、当該誘導路のうちの１本は、上部から入球した遊技球を前記小入賞口に誘導するように形成されるとともに、当該誘導路が小入賞口の手前で、小入賞口側とは異なる方向に分岐されている。また、作動制御手段は、所定条件が成立したとき、動作部材を小入賞口の手前の分岐位置に移動させて小入賞口側にある一方の誘導路に遊技球が流下するのを妨げるように閉塞し、当該遊技球を他方に誘導する。
【００４５】
すなわち、所定条件が成立しない場合以外は、小入賞口に遊技球が入球しない。つまり、特定の場合にしか第２遊技状態に移行しないように保ったまま、動作部材を適時に動作させるので、実際に第２遊遊技状態に移行することを分かりづらくすることができる。その結果、第２遊技状態に移行する状態が不明確な状態で遊技者は遊技を継続するので、第２遊技状態への移行は突然に発生したものと錯覚し、遊遊技に対する面白みが増し、遊技に対する興趣性が向上させられる。
【００４６】
（１２）  前記（１０）または（１１）に記載の遊技機において、
前記所定条件は、第１遊技状態および第２遊技状態への条件の成立以外に前記表示手段に所定の表示演出が表示された場合であり、
当該表示演出は、遊技者の遊技に対して付加価値を与える第１遊技状態および第２遊技状態となるときの示唆表示演出、または／および第１遊技状態および第２遊技状態となりそうであると疑わせる擬似表示演出である
ことを特徴とする遊技機。
【００４７】
前記（１２）に記載の発明によれば、所定条件は、第１遊技状態および第２遊技状態への条件の成立以外に表示手段に所定の表示演出が表示された場合であることが好ましい。示唆表示演出は、遊技者の遊技に対して付加価値を与える第１遊技状態および第２遊技状態となることを示唆する表示演出である。擬似表示演出は、第１遊技状態および第２遊技状態となりそうであると疑わせる表示演出である。すなわち、この構成によれば、第１遊技状態または／および第２遊技状態に移行する表示演出と実際には移行しない表示演出も含ませることにより、第２遊技状態に移行するのを、より分かりづらくすることができる。その結果、第２遊技状態に移行する状態が不明確な状態で遊技者は遊技を継続するので、第２遊技状態への移行は突然に発生したものと錯覚し、遊遊技に対する面白みが増し、遊技に対する興趣性が向上させられる。
【００４８】
（１３）  始動口に遊技球が入球したことを検出手段が検出すると、その検出結果に基づいて主制御手段において記録された乱数から各種カウンタ値を抽選し、所定のカウンタ値を取得したときに表示手段に表示演出される識別変動表示が所定の絵柄で停止すると遊技に対する付加価値を遊技者に与える第１遊技状態と、前記第１遊技状態とは異なる付加価値を与える第２遊技状態となる遊技機において、
遊技球を発射させる発射手段と、
前記発射手段により発射された遊技球に挙動を与えながら流下させる遊技領域を有する遊技盤と、
前記遊技盤面上で動作する動作部材と、
前記主制御手段により抽選の結果、前記第１遊技状態および第２遊技状態となることの条件が成立しているか否かを判定する判定手段と、
前記判定手段の判定の結果、第２遊技状態となる条件が成立している場合、前記動作部材を作動制御する作動制御手段と、
前記主制御手段による抽選の結果、前記第１遊技状態となる条件が成立している場合、前記動作部材を作動制御する副制御手段と、
を備えたことを特徴とする遊技機。
【００４９】
前記（１３）に記載の発明によれば、発射手段は、遊技球を発射させる。遊技盤は、発射手段により発射された遊技球に挙動を与えながら流下させる遊技領域を有する。動作部材は、遊技盤面上で動作する。判定手段は、主制御手段により抽選の結果、第１遊技状態および第２遊技状態となることの条件が成立しているか否かを判定する。作動制御手段は、判定手段の判定の結果、第２遊技状態となる条件が成立している場合、動作部材を作動制御する。副制御手段は、主制御手段による抽選の結果、前記第１遊技状態となる条件が成立している場合、前記動作部材を作動制御する。
【００５０】
すなわち、この構成によれば、第１遊技状態となる条件が成立した場合に、副制御手段が動作部材を作動制御して動作させるので、第２遊技状態に移行する場合に動作部材が動するとして特定することができない。つまり第２遊技状態に移行するのか否かを不明確にすることができる。したがって、第２遊技状態への移行の分かりづらい状態で、突然に第２遊技状態に移行したものと遊技者は錯覚する、その結果、遊技者は、突然に遊技に対する付加価値を得ることができるので、遊技に対する面白みが増し、遊技に対する興趣性が向上させられる。
【００５１】
（１４）  前記（１３）に記載の遊技機において、
さらに、前記遊技盤には、同時に複数個の遊技球の入賞を可能とするように前記遊技盤の前面側に備わった扉の開放・閉鎖の動作を繰り返す大入賞口と、
前記大入賞口よりも小形で遊技球の入賞を可能とする小入賞口とが形成されており、
前記動作部材は、前記小入賞口への遊技球の入球の許可および阻止する両位置に移動可能に配備され、
かつ、前記主制御手段による抽選の結果、前記第１遊技状態の条件が成立した場合、前記作動制御手段が、前記大入賞口の扉を開放・閉鎖の動作を繰り返す動作をさせるとともに、副制御手段が前記動作部材を阻止位置と許可位置とにわたって移動させ、
前記主制御手段による抽選の結果、前記第２遊技状態の条件が成立した場合、前記作動制御手段が、阻止位置と許可位置とにわたって前記動作部材を移動させる
ことを特徴とする遊技機。
【００５２】
前記（１４）に記載の発明によれば、遊技盤には、大入賞口と小入賞口とが形成されている。大入賞口は、同時に複数個の遊技球の入賞を可能とするように遊技盤の前面側に備わった扉の開放・閉鎖の動作を繰り返す。小入賞口は、記大入賞口よりも小形で遊技球の入賞を可能とする。動作部材は、小入賞口への遊技球の入球の許可および阻止する両位置に移動可能に配備されている。また、前記主制御手段による抽選の結果、第１遊技状態の条件が成立した場合、作動制御手段が、大入賞口の扉を開放・閉鎖の動作を繰り返す動作をさせるとともに、副制御手段が動作部材を阻止位置と許可位置とにわたって移動させる。さらに、主制御手段による抽選の結果、第２遊技状態の条件が成立した場合、作動制御手段が、阻止位置と許可位置とにわたって動作部材を移動させる。
【００５３】
すなわち、この構成によれば、特定の場合にしか第２遊技状態に移行しないように保ったまま、動作部材を適時に動作させるので、実施に第２遊遊技状態に移行することを分かりづらくすることができる。その結果、第２遊技状態に移行する状態が不明確な状態で遊技者は遊技を継続するので、第２遊技状態への移行は突然に発生したものと錯覚し、遊技に対する面白みが増し、遊技に対する興趣性が向上させられる。
【００５４】
（１５）  前記（１４）に記載の遊技機において、
前記動作部材は、前記遊技盤面に配備される装飾部材の一部であって、
前記装飾部材は、前記遊技球が上部から下部に向けて流下可能な複数本に分岐された誘導路が形成されており、
前記誘導路のうちの１本は、上部から入球した遊技球を前記小入賞口に誘導するように形成されるとともに、当該誘導路が小入賞口の手前で、小入賞口側とは異なる方向に分岐されており、
前記動作部材は、作動条件が成立していない場合、前記誘導路の分岐点で小入賞口への遊技球の流下を阻止し、小入賞口とは異なる誘導路に遊技球を流下させるように待機し、  
作動条件が成立した場合は、小入賞口への遊技球の入球を許可するように前記待機している位置から許可する位置に移動するように構成された
ことを特徴とする遊技機。
【００５５】
前記（１５）に記載の発明によれば、動作部材は、遊技盤面に配備される装飾部材の一部である。装飾部材は、遊技球が上部から下部に向けて流下可能な複数本に分岐された誘導路が形成されており、当該誘導路のうちの１本は、上部から入球した遊技球を小入賞口に誘導するように形成されるとともに、当該誘導路が小入賞口の手前で、小入賞口側とは異なる方向に分岐されている。また、動作部材は、作動条件が成立していない場合、誘導路の分岐点で小入賞口への遊技球の流下を阻止し、小入賞口とは異なる誘導路に遊技球を流下させるように待機し、作動条件が成立した場合は、小入賞口への遊技球の入球を許可するように待機している位置から許可する位置に移動する。
【００５６】
すなわち、動作部材は、開口状態にある小入賞口への入球の許可と阻止する扉としの機能する。
【００５７】
（１６）  請求項１に記載の遊技機、または、前記（１）から（１５）のいずれか一つに記載の遊技機において、
左右一側部側を中心に左右他側部側が開閉可能となるように構成され、遊技盤を支持した遊技機本体と、
前記遊技盤の前面に設けられたレール部材により略円形状に区画された遊技領域と、
前記遊技機本体の前面側にて前記左右一側部側を中心に前記左右他側部が開閉可能となるように支持され、閉鎖状態において前記遊技領域を視認可能な視認窓を有した前面扉とを備え、
前記遊技機本体の前記左右一側部には長尺状の補強部材を上下方向へ延びるように設けられるとともに、前記遊技機本体の前記左右他側部には前記遊技機本体及び前面扉の開放を禁止するように旋錠する旋錠装置を設け、
該旋錠装置は前記遊技機本体の前記左右他側部に上下方向へ延びるようにかつ上下方向へ移動可能となるように設けられた長尺状の連動部材と、前記遊技機本体の前記左右他側部のうち前記遊技領域の最大幅となる位置とは異なる位置に設けられ前記連動部材を上側又は下側への移動により前記遊技機本体の旋錠が解除されるとともに、前記連動部材の上下他方への移動により前記前面扉の旋錠が解除されるように構成し、
前記遊技盤を前記遊技機本体の幅内において前記補強部材及び連動部材を左右に振り分けて配置するための領域を残した幅となるように形成するとともに、前記遊技盤の左右両側部には前記遊技機本体の左右両側からの張出領域との干渉を回避するように部分的に凹部を形成し、さらに、前記レール部材のうち、前記遊技領域の最大幅となる位置を、前記遊技盤の左右端位置に至るように配設することにより、遊技領域を拡張したことを特徴とする遊技機。
【００５８】
前記（１６）に記載の発明によれば、遊技盤の左右両側部は、遊技機本体の左右両側からの張出領域との干渉を回避するように部分的に凹部を形成している。レール部材のうち遊技領域の最大幅となる位置を、遊技盤の左右端位置に至るように配設する。したがって、遊技領域が広くなり、遊技領域の自由度を向上させることができる。その結果、興趣性の向上を図ることができる。
【００５９】
（１７）  請求項１に記載の遊技機、または、前記（１）から（１６）のいずれか一つに記載の遊技機において、
前記遊技機はパチンコ機であることを特徴とする遊技機。
【００６０】
前記（１７）に記載の遊技機によれば、興趣性に優れたパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態（第２遊技状態）の発生時には、遊技領域内の所定の位置に配設された可変入賞手段（特定入賞口または大入賞口）が所定の態様で開放されて球を入賞可能とし、その入賞個数に応じた有価価値（景品球のみならず、磁気カードへ書き込まれるデータ等も含む）が付与されるものが挙げられる。
【００６１】
以下、パチンコ遊技機（以下、単に「パチンコ機」という）の一実施の形態を、図面に基づいて詳細に説明する。図１はパチンコ機１０の正面図であり、図２は、外枠１１に対して内枠１２と前面枠セット１４とを開放した状態を示す斜視図である。但し、図２では便宜上、下皿ユニット１３が内枠１２から取り外された状態を示している。
【００６２】
図１，２に示すように、パチンコ機１０は、当該パチンコ機１０の外殻を形成する外枠１１と、この外枠１１の一側部に開閉可能に支持された内枠１２とを備えている。以下に、外枠１１と内枠１２との構成を個別に詳細に説明する。
【００６３】
外枠１１は、木製の板材により全体として矩形状に構成され、小ネジ等の離脱可能な締結具により各板材が組み付けられている。本実施の形態では、外枠１１の上下方向の外寸は８０９ｍｍ（内寸７７１ｍｍ）、左右方向の外寸は５１８ｍｍ（内寸４８０ｍｍ）となっている。なお、外枠１１は樹脂やアルミニウム等の軽金属により構成されていてもよい。
【００６４】
内枠１２の開閉軸線はパチンコ機１０の正面からみてハンドル（後述する遊技球発射ハンドル１８）設置箇所の反対側（図１のパチンコ機１０の左側）で上下に延びるように設定されており、この開閉軸線を軸心にして内枠１２が前方側に十分に開放できるようになっている。例えば、内枠１２の開閉軸線がハンドル設置箇所側（図１のパチンコ機１０の右側）で上下方向にあるとすると、内枠１２を開放する際に遊技球発射ハンドル１８の頭部等が隣なりのパチンコ機やカードユニット（球貸しユニット）に干渉することになり、内枠１２を十分に開放できない。また、内枠１２は合成樹脂、具体的にはＡＢＳ（アクリロニトリル−ブタジエン−スチレン）樹脂により構成されている。こうすることで、粘性が高く衝撃に強くでき、低コストで製造できる。
【００６５】
内枠１２の構成を図３も用いて詳細に説明する。図３は、パチンコ機１０から前面枠セット１４を取り外した状態を示す正面図である（但し、図３では便宜上、遊技盤３０面上の遊技領域内の構成を空白で示している）。
【００６６】
内枠１２は、大別すると、その最下部に取り付けられた下皿ユニット１３と、この下皿ユニット１３よりも上側の範囲で内枠１２の左側の上下方向の開閉軸線を軸心にして開閉自在に取り付けられた前面枠セット１４と、後述する樹脂ベース２０と、この樹脂ベース２０の後側に取り付けられる遊技盤３０とを備えている。これらの各構成を以下に詳細に説明する。
【００６７】
下皿ユニット１３は、内枠１２に対してネジ等の締結具により固定されている。この下皿ユニット１３の前面側には、下皿１５と球抜きレバー１７と遊技球発射ハンドル１８と灰皿２２と音出力口２４が設けられている。球受皿としての下皿１５は、下皿ユニット１３のほぼ中央部に設けられており、排出口１６より排出された遊技球が下皿１５内に貯留可能になっている。球抜きレバー１７は、下皿１５内の遊技球を抜くためのものであり、この球抜きレバー１７を図１で左側に移動させることにより、下皿１５の底面の所定箇所が開口され、下皿１５内に貯留された遊技球を下皿１５の底面の開口部分を通して下方向外部に抜くことができる。遊技球発射ハンドル１８は、下皿１５よりも右方で手前側に突出して配設されている。遊技者による遊技球発射ハンドル１８の操作に応じて、遊技球発射装置３８によって遊技球が後述する遊技盤３０の方へ打ち込まれるようになっている。遊技球発射装置３８は、遊技球発射ハンドル１８と後述するセットハンドル２２８と発射モータ２２９（図６参照）などで構成されている。なお、上述した遊技球発射装置３８が本発明における遊技球発射手段に相当する。音出力口２４は、下皿ユニット１３内あるいは背面に設けられたスピーカからの音を出力するための出力口である。また、灰皿２２は下皿１５の左方に設けられている。灰皿２２は左右方向（水平方向）の軸線を軸心にして回動（例えば前方側に向けて前回り）するように、その右側が下皿１５に片持ち支持されている。
【００６８】
なお、下皿ユニット１３はその大部分が内枠１２と同様、ＡＢＳ樹脂にて成形されている。こうすることで、粘性が高く衝撃に強くでき、低コストで製造できる。特に、下皿１５を形成する表面層と下皿奥方の前面パネル部分とを難燃性のＡＢＳ樹脂にて成形している。このため、この部分は燃え難くなっている。
【００６９】
また、前面枠セット１４は、図２に示すように、内枠１２に対して開閉可能に取り付けられており、内枠１２と同様、パチンコ機１０の正面からみて左側に上下に延びる開閉軸線を軸心にして前方側に開放できるようになっている。しかも前面枠セット１４は内枠１２の外側壁（リブ）１２ｂ（図３参照）内に嵌まり込むようにして取り付けられている。つまり、この前面枠セット１４の側面の少なくとも一部が内枠１２の外側壁（リブ）１２ｂ内に嵌まり込むようにして取り付けられているので、内枠１２と前面枠セット１４との隙間から異物（針状あるいは薄板状等のもの）を差し入れるなどの不正行為を防止できるようになっている。また、前面枠セット１４は、内枠１２と同様に、合成樹脂、具体的にはＡＢＳ樹脂により構成されているので、粘性が高く衝撃に強くでき、低コストで製造できる。
【００７０】
一方、前面枠セット１４の下部（上述の下皿１５の上方位置）には、遊技球の受皿としての上皿１９が一体的に設けられている。ここで、上皿１９は、遊技球を一旦貯留し、一列に整列させながら遊技球発射装置３８の方へ導出するための球受皿である。従来のパチンコ機では前面枠セットの下方に内枠に対し開閉可能な前飾り枠が設けられ、該前飾り枠に上皿が設けられていたのであるが、本実施の形態では前飾り枠が省略され、前面枠セット１４に対し直接的に上皿１９が設けられている。この上皿１９も下皿１５と同様、表面層が難燃性のＡＢＳ樹脂にて成形される構成となっている。
【００７１】
ここで、前面枠セット１４は、少なくとも遊技球発射ハンドル１８に干渉しないようにして本パチンコ機１０の下方に拡張して設けられており、具体的な数値を示すと、パチンコ機１０の下端から前面枠セット１４の下端までの寸法（図１のＨ１）は、既存の一機種で例えば約２０１ｍｍであるのに対し、本パチンコ機１０では３０ｍｍ程小さく、約１７２ｍｍとなっている。また、これに伴いパチンコ機１０の下端から上皿１９までの寸法（図１のＨ２）も小さくなっており、既存の一機種では例えば約２９８ｍｍであるのに対し、本パチンコ機１０では２６１ｍｍとなっている。かかる構成では、上皿１９の位置を下げたことにより、球貸し装置のノズル部と上皿１９との距離が大きくなって貸し出される遊技球のこぼれ落ちなどが懸念されるが、本実施例では、当該ノズル部からの遊技球を受ける部分（向かって左側部分）で上皿１９の周囲壁の一部を高くした（図１の高壁部１９ａ）。これにより、上皿１９の位置を下げた構成にあっても貸し遊技球のこぼれ落ち等の不都合が解消されるようになっている。なお、高壁部１９ａの高さ寸法は、上皿１９の下げ寸法に見合うものであればよく、本実施例では２５ｍｍとした。
【００７２】
図３に示すように、内枠１２は、外形が矩形状の樹脂ベース２０を主体に構成されており、樹脂ベース２０の中央部には略円形状の窓孔２１が形成されている。樹脂ベース２０の後側には遊技盤３０が着脱可能に装着されている。遊技盤３０は四角形状の合板よりなり、その周縁部が樹脂ベース２０（内枠１２）の裏側に当接した状態で取着されている。従って、遊技盤３０の前面部の略中央部分が樹脂ベース２０の窓孔２１を通じて内枠１２の前面側に露出した状態となっている。なお、遊技盤３０の上下方向の長さは４７６ｍｍ、左右方向の長さは４５２ｍｍとなっている（従来と同等サイズ）。
【００７３】
次に、図４を用いて遊技盤３０の構成を説明する。図４は遊技盤３０の構成を示す正面図である。遊技盤３０は、一般入賞口３１、可変入賞装置３２、第１の始動口３３（例えば作動チャッカ）、第２の始動口３４（例えばスルーゲート）、可変表示装置ユニット３５等を備えている。これらの一般入賞口３１、可変入賞装置３２、第１の始動口３３（例えば作動チャッカ）、第２の始動口３４（例えばスルーゲート）、可変表示装置ユニット３５等は、遊技盤３０における、ルータ加工によって形成された各貫通穴にそれぞれに配設され、遊技盤３０前面側から木ネジ等により取り付けられている。前述の一般入賞口３１、可変入賞装置３２および第１の始動口３３に遊技球が入球し、当該入球が後述する検出スイッチ（入賞口スイッチ２２１、カウントスイッチ２２３、作動口スイッチ２２４等）で検出され、この検出スイッチの出力に基づいて、上皿１９（または下皿１５）へ所定数の賞品球が払い出される。その他に、遊技盤３０にはアウト口３６が設けられており、各種入賞装置等に入球しなかった遊技球はこのアウト口３６を通って図示しない球排出路の方へと案内されるようになっている。遊技盤３０には、遊技球の落下方向を適宜分散、調整等するために多数の釘が植設されているとともに、風車３７等の各種部材（役物）が配設されている。
【００７４】
可変表示装置ユニット３５は、第１の始動口３３への入賞をトリガとして、識別情報としての第１図柄（例えば特別図柄）を変動表示する第１図柄表示装置４２と、第２の始動口３４の通過をトリガとして、第２図柄（例えば普通図柄）を変動表示する第２図柄表示装置４１とを備えている。
【００７５】
第２図柄表示装置４１は、第２図柄用の表示部４３と保留ランプ４４とを有し、遊技球が第２の始動口３４を通過する毎に例えば表示部４３による表示図柄（普通図柄）が変動し、その変動表示が所定図柄で停止した場合に第１の始動口３３が所定時間だけ作動状態となる（開放される）よう構成されている。遊技球が第２の始動口３４を通過した回数は最大４回まで保留され、その保留回数が保留ランプ４４にて点灯表示されるようになっている。なお、表示部４３は、複数のランプの点灯を切り換えることにより変動表示される構成の他、第１図柄表示装置４２（液晶表示装置）の一部で変動表示される構成等であっても良い。保留ランプ４４も同様に、第１図柄表示装置４２の一部で変動表示される構成等であっても良い。なお、上述した第２図柄表示装置４１が本発明における普通識別情報変動表示手段に相当する。
【００７６】
第１図柄表示装置４２は液晶表示装置として構成されており、後述する表示制御装置４５により表示内容が制御される。第１図柄表示装置４２には、例えば左、中及び右の３つの図柄列が表示される。各図柄列は複数の図柄によって構成されており、これら図柄が図柄列毎にスクロールされるようにして第１図柄表示装置４２に可変表示されるようになっている。なお本実施の形態では、第１図柄表示装置４２（液晶表示装置）は８インチサイズの大型の液晶ディスプレイを備える。可変表示装置ユニット３５には、第１図柄表示装置４２を囲むようにしてセンターフレーム４７が配設されている。なお、上述した第１図柄表示装置４２が本発明における識別情報変動表示手段に相当し、上述した表示制御装置４５が本発明における表示制御手段に相当する。
【００７７】
可変入賞装置３２は、通常は遊技球が入賞できない又は入賞し難い閉状態になっており、大当たりの際に遊技球が入賞しやすい開状態と通常の閉状態とに繰り返し作動されるようになっている。より詳しくは、第１の始動口３３に対し遊技球が入賞すると第１図柄表示装置４２で図柄が変動表示され、その停止後の確定図柄が予め設定した特定の図柄の組合せとなったことを必要条件に特別遊技状態が発生する。そして、可変入賞装置３２の大入賞口が所定の開放状態となり、遊技球が入賞しやすい状態（大当たり状態）になるよう構成されている。具体的には、所定時間の経過又は所定個数の入賞を１ラウンドとして、可変入賞装置３２の大入賞口が所定回数繰り返し開放される。遊技球が第１の始動口３３を通過した回数は最大４回まで保留され、その保留回数が保留ランプ４６にて点灯表示されるようになっている。なお、保留ランプ４６は、第１図柄表示装置４２の一部で変動表示される構成等であっても良い。
【００７８】
また、遊技盤３０には、遊技球発射装置３８から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品（例えば、フッ素樹脂が添加されて成形されたもの）にて構成されており、内外二重に一体形成された内レール５１と外レール５２とを有する。なお、レールユニット５０はフッ素樹脂を添加して成形されているので、図３に示す奥面５０ａについての遊技球の摩擦抵抗を少なくできる。内レール５１は上方の約１／４ほどを除いて略円環状に形成され、一部（主に左側部）が内レール５１に向かい合うようにして外レール５２が形成されている。かかる場合、内レール５１と外レール５２とにより誘導レールが構成され、これら各レール５１，５２が所定間隔を隔てて並行する部分（向かって左側の部分）により球案内通路が形成されている。なお、球案内通路は、遊技盤３０との当接面を有した溝状、すなわち手前側を開放した溝状に形成されている。
【００７９】
内レール５１の先端部分（図４の左上部）には戻り球防止部材５３が取着されている。これにより、一旦、内レール５１及び外レール５２間の球案内通路から遊技盤３０の上部へと案内された遊技球が再度球案内通路内に戻ってしまうといった事態が防止されるようになっている。また、外レール５２には、遊技球の最大飛翔部分に対応する位置（図４の右上部：外レール５２の先端部に相当する部位）に返しゴム５４が取着されている。従って、所定以上の勢いで発射された遊技球は、返しゴム５４に当たって跳ね返されるようになっている。外レール５２の内側面には、遊技球の飛翔をより滑らかなものとするべく、つまり遊技球の摩擦抵抗を少なくするべく、長尺状をなすステンレス製の金属帯としての摺動プレート５５が取着されている。
【００８０】
また、レールユニット５０の外周部には、外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされるようになっている。この実施例では、レールユニット５０の少なくとも左側を遊技盤３０に強固に締結するために、レールユニット５０の左側はその右側よりも多いネジで遊技盤３０に締結されているので、レールユニット５０の左側についての遊技盤３０への密着性を上げることができ、遊技球の球飛びを良くすることができる。レールユニット５０の左側が遊技盤３０に対してぐらついているとこのレールユニット５０に出射された遊技球の勢いが当該ぐらつきにより吸収されてしまうからである。
【００８１】
さらに本実施の形態では、正面から見てレールユニット５０の上下左右の各端部は略直線状に（平坦に）形成されている。つまり、レールユニット５０の上下左右の各端部においてはフランジ５６が切り落とされ、パチンコ機１０における有限の領域にてレール径の拡張、すなわち遊技盤３０上の遊技領域の拡張が図られるようになっている。
【００８２】
内レール５１及び外レール５２間の球案内通路の入口には、同球案内通路の一部を閉鎖するようにして凸部５７が形成されている。この凸部５７は、内レール５１からレールユニット５０下端部にかけて略鉛直方向に設けられ、遊技領域まで至らず球案内通路内を逆流してくるファール球をファール球通路６３（図３参照）に導くための役目をなす。なお、遊技盤３０の右下隅部及び左下隅部は、証紙（例えば製造番号が記載されている）等のシール（図４のＳ１，Ｓ２）やプレートを貼着するためのスペースとなっており、この貼着スペースを確保するために、フランジ５６に切欠５８，５９が形成されている。遊技盤３０の右下隅部や左下隅部に、証紙等のシール（図４のＳ１，Ｓ２）を貼着することで、遊技盤３０と証紙との一義性を持たせることができる。
【００８３】
次に、遊技領域について説明する。遊技領域は、レールユニット５０の内周部（内外レール）により略円形状に区画形成されており、特に本実施の形態では、遊技盤３０の盤面上に区画される遊技領域が従来よりもはるかに大きく構成されている。本実施の形態では、外レール５２の最上部地点から遊技盤３０下部までの間の距離は４４５ｍｍ（従来品よりも５８ｍｍ長い）、外レール５２の極左位置から内レール５１の極右位置までの間の距離は４３５ｍｍ（従来品よりも５０ｍｍ長い）となっている。また、内レール５１の極左位置から内レール５１の極右位置までの間の距離は４１８ｍｍとなっている。
【００８４】
本実施の形態では、遊技領域を、パチンコ機１０の正面から見て、内レール５１及び外レール５２によって囲まれる領域のうち、内外レール５１，５２の並行部分である誘導レールの領域を除いた領域としている。従って、遊技領域と言った場合には誘導レール部分は含まないため、遊技領域の向かって左側限界位置は外レール５２によってではなく内レール５１によって特定される。同様に、遊技領域の向かって右側限界位置は内レール５１によって特定される。また、遊技領域の下側限界位置は遊技盤３０の下端位置によって特定される。また、遊技領域の上側限界位置は外レール５２によって特定される。
【００８５】
従って、本実施の形態では、遊技領域の幅（左右方向の最大幅）は、４１８ｍｍであり、遊技領域の高さ（上下方向の最大幅）は、４４５ｍｍである。
【００８６】
ここで、前記遊技領域の幅は、少なくとも３８０ｍｍ以上あることが望ましい。より好ましくは３９０ｍｍ以上、４００ｍｍ以上、４１０ｍｍ以上、４２０ｍｍ以上、４３０ｍｍ以上、４４０ｍｍ以上、４５０ｍｍ以上、さらに４６０ｍｍ以上であることが望ましい。もちろん、４７０ｍｍ以上であってもよい。すなわち、遊技領域の幅は、遊技領域拡大という観点からは大きい程好ましい。また、遊技領域の高さは、少なくとも４００ｍｍ以上あることが望ましい。より好ましくは４１０ｍｍ以上、４２０ｍｍ以上、４３０ｍｍ以上、４４０ｍｍ以上、４５０ｍｍ以上、さらには４６０ｍｍ以上であることがより望ましい。もちろん、４７０ｍｍ以上、４８０ｍｍ以上、４９０ｍｍ以上としてもよい。すなわち、遊技領域の高さは、遊技領域拡大という観点からは大きい程好ましい。なお、上記幅及び高さの組合せについては、上記数値を任意に組み合わせたものとしてもよい。
【００８７】
本実施の形態では、遊技盤３０面に対する遊技領域の面積の比率は約７０％と、従来に比べ格段に面積比が大きいものとなっている。なお、遊技盤３０面に対する遊技領域の面積比は、従来では５０％程度に過ぎなかったことから、遊技盤３０を共通とした前提においてはかなり遊技領域を拡大しているといえる。尚、パチンコ機１０の外形は遊技場への設置の都合上製造者間でほぼ統一されており、遊技盤３０の大きさも同様とせざるを得ない状況下において、上記のように遊技盤３０面に対する遊技領域の面積の比率を約２０％も高めたことは、遊技領域拡大の観点で非常に有意義である。ここで、前記比率は、少なくとも６０％以上であることが望ましい。さらに好ましくは６５％以上であり、より好ましくは７０％以上である。また、本実施形態の場合を越えて７５％以上であれば、一層望ましい。さらには、８０％以上であってもよい。
【００８８】
また、パチンコ機１０全体の正面側の面積に対する遊技領域の面積の比率は約４０％と、従来に比べ格段に面積比が大きいものとなっている。なお、パチンコ機１０全体の正面側の面積に対する遊技領域の面積比は、３５パーセント以上であるのが望ましい。もちろん、４０パーセント以上としてもよいし、４５パーセント以上、又は５０パーセント以上としてもよい。
【００８９】
なお、可変表示装置ユニット３５の両側に位置する第２の始動口３４は、該第２の始動口３４を通過した遊技球が中央の方へ寄せられるような案内機構を有している。これにより、遊技領域が左右方向に拡張されている場合であっても、遊技球を中央の第１の始動口３３や可変入賞装置３２の方へと案内することができ、ひいては、遊技領域が拡張されることにより遊技球が入賞しにくくなることによる興趣の低下が抑制されるようになっている。さらには、遊技領域が左右方向に拡張されていることによって、風車３７、第２の始動口３４、複数の釘（遊技球を中央に誘導するための誘導釘）、他の役物を種々配設することができ、可変表示装置ユニット３５の左右両側の遊技領域での遊技球の挙動を一層面白くすることができるようになっている。また、遊技領域が上下方向にも拡張されていることから、さらに風車３７、第２の始動口３４、複数の釘、他の役物を種々配設することができ、遊技領域での上下方向の遊技球の挙動をより一層面白くすることができるようになっている。
【００９０】
図３の説明に戻り、前記樹脂ベース２０において、窓孔２１（遊技盤３０）の下方には、遊技球発射装置３８より発射された直後に遊技球を案内するための発射レール６１が取り付けられている。発射レール６１は、その後方の金属板６２を介して樹脂ベース２０に取付固定されており、所定の発射角度（打ち出し角度）にて直線的に延びるよう構成されている。従って、遊技球発射ハンドル１８の回動操作に伴い発射された遊技球は、まずは発射レール６１に沿って斜め上方に打ち出され、その後前述した通りレールユニット５０の球案内通路を通じて所定の遊技領域に案内されるようになっている。
【００９１】
本パチンコ機１０の場合、遊技領域が従来よりも大幅に拡張されることは既に述べたが、かかる構成下では、誘導レールの曲率を小さくせざるを得ないことから、打出球を安定化させるための工夫を要する。そこで本実施の形態では、遊技球の発射位置を低くするとともに発射レール６１の傾斜角度（発射角度）を既存のものよりも幾分大きくし（すなわち発射レール６１を立ち上げるようにし）、さらに発射レール６１の長さを既存のものよりも長くして十分な長さの球誘導距離を確保するようにしている。これにより、遊技球発射装置３８から発射された遊技球をより安定した状態で誘導レールに案内できるようにしている。この場合特に、発射レール６１を、遊技球発射装置３８の発射位置から遊技領域の中央位置（アウト口３６）を越える位置まで延びるよう形成している。
【００９２】
また、発射レール６１とレールユニット５０（誘導レール）との間には所定間隔の隙間があり、この隙間より下方にファール球通路６３が形成されている。従って、仮に、遊技球発射装置３８から発射された遊技球が戻り球防止部材５３まで至らずファール球として誘導レール内を逆戻りする場合には、そのファール球がファール球通路６３を介して下皿１５に排出される。因みに、本実施の形態の場合、発射レール６１の長さは約２４０ｍｍ、発射レール先端部の隙間の長さ（発射レール６１の延長線上の長さ）は約４０ｍｍである。
【００９３】
ファール球が誘導レール内を逆流してくる際、その多くは外レール５２に沿って流れ、外レール５２の下端部に到達した時点で下方に落下するが、一部のファール球は誘導レール内で暴れ、内レール５１側へ跳ね上がるものもある。この際、跳ね上がったファール球は、球案内通路入口の前記凸部５７に当たり、ファール球通路６３に誘導される。これにより、ファール球の全てがファール球通路６３に確実に案内されるようになる。これにより、ファール球と次に発射される遊技球との干渉が抑制される。
【００９４】
なお、詳しい図面の開示は省略するが、遊技球発射装置３８には、前面枠セット１４側の球出口（上皿１９の最下流部より通じる球出口）から遊技球が１つずつ供給される。この際、本実施の形態では遊技球の発射位置を低くしたため、前面枠セット１４側の球出口から前記発射位置への落差が大きくなるが、発射レール６１の基端部付近にはその右側と手前側にそれぞれガイド部材６５，６６を設置した。これにより、前面枠セット１４側の球出口から供給される遊技球が常に所定の発射位置にセットされ、安定した発射動作が実現できる。また、遊技球発射装置３８には打球槌が設けられ、軸部を中心とする打球槌の回動に伴い遊技球が発射されるが、打球槌に関して軽量化が望まれている。それ故、アルミニウム等の軽金属への材料変更や軸部寸法の縮小化により打球槌の軽量化を図る一方で、十分な発射力を確保すべく、打球槌のヘッド部（軸部と反対側の端部）に重り部を設けている。これにより、十分でかつ安定した遊技球の発射が実現できる。打球槌の重り部を上方に突出して設けることにより、打球槌を容易に摘んだりひっかけたりすることができ、槌先の打球強さの調整等がし易くなるという効果がある。
【００９５】
なお、図３中の符号６７は上皿１９に通ずる排出口であり、この排出口６７を介して遊技球が上皿１９に排出される。排出口６７には、略水平方向の回転軸を軸心として略水平状態と略垂直状態とに変位する開閉式のシャッタ６８が取り付けられている。前面枠セット１４を内枠１２から開放した状態（図３の状態）では、バネ等の付勢力によりシャッタ６８が略水平状態から略垂直状態となり、排出口６７から遊技球がこぼれ落ちないようにこの排出口６７を閉鎖する。また、前面枠セット１４を閉鎖した状態では、当該前面枠セット１４の裏面に設けられた球通路樋６９（図２参照）によりシャッタ６８が押し開けられて略水平状態になり、排出口６７の方へ排出された遊技球はもれなく球通路樋６９を通って上皿１９に排出されるようになる。従って、前飾り枠が省略され前面枠セット１４に対して上皿１９が直接設けられる構成とした本パチンコ機１０において、前面枠セット１４の開放に際し払出通路内等の遊技球がパチンコ機１０外にこぼれ落ちてしまうといった不都合が防止できるようになっている。
【００９６】
樹脂ベース２０には、窓孔２１の右下部に略四角形状の小窓７１が設けられている。従って、遊技盤３０の右下隅部に張られた証紙などのシール（図４のＳ１）は、この小窓７１を通じて視認できるようになっている。また、この小窓７１からシール等を貼り付けることも可能となっている。
【００９７】
また、図３に示すように、内枠１２の左端部には、前面枠セット１４の支持機構として、支持金具８１，８２が取り付けられている。上側の支持金具８１には図の手前側に切欠を有する支持孔８３が設けられ、下側の支持金具８２には鉛直方向に突出した突起軸８４が設けられている。
【００９８】
図３に示すように、内枠１２の上側には、前面枠セット１４が内枠１２に対して開かれたことを検出する前面枠セット開検出スイッチ９０が設けられている。前面枠セット１４が開かれると、前面枠セット開検出スイッチ９０からホール内（パチンコ店内）用コンピュータへ出力されるようになっている。また、前面枠セット１４が閉じられると、図５に示す前面枠セット１４の金属製の補強板１３２，１３１が図３に示す内枠１２の一対の金具９２に接触するようになっており、前面枠セット１４のアースが確保されている。
【００９９】
ここで、前述した前面枠セット１４について、図１，図５を参照しつつより詳細に説明する。図５は、前面枠セット１４の背面図である。前面枠セット１４には前記遊技領域のほとんどを外部から視認することができるよう略楕円形状の窓部１０１が形成されている。詳しくは、窓部１０１は、その左右側の略中央部が、上下側に比べて比較的緩やかに湾曲した形状となっている。なお、前記略中央部が直線状になるようにしてもよい。本実施の形態において、窓部１０１の上端（外レール５２の最上部、遊技領域の上端）と、前面枠セット１４の上端との間の距離（いわゆる上部フレーム部分の上下幅）は６１ｍｍとなっており、８５ｍｍ〜９５ｍｍ程度上部フレーム幅がある従来技術に比べて著しく短くなっている。これにより、遊技領域の上部領域が確保されやすくなるとともに、大型の可変表示装置ユニット３５も比較的上方に配置することができるようになっている。前面枠セット１４の上端との間の距離は８０ｍｍ以下であることが望ましく、より望ましくは７０ｍｍ以下であり、さらに望ましくは６０ｍｍ以下である。もちろん、所定の強度が確保できるのであれば、５０ｍｍ以下であっても差し支えない。
【０１００】
また、パチンコ機１０の正面から見て窓部１０１の左端と前面枠セット１４の左端との間の最短距離（いわゆる左側部フレーム部分の左右幅：図５では右側に示されている）、すなわち開閉軸線側のフレーム幅は、前面枠セット１４自体の強度及び支持強度を高めるために比較的大きく設定されている。この場合、図１及び図３を相互に比較すると明らかなように、前面枠セット１４が閉じられた状態において、外レール５２の左端部はもちろん、内レール５１の左端部も前記左側部フレーム部分によって覆い隠される。つまり、誘導レールの少なくとも一部が、パチンコ機１０の正面からみて前面枠セット１４の左側部フレーム部分と重複し覆い隠される。このように遊技球が一時的に視認困難となったとしても、それは、遊技球が遊技領域に案内される通過点に過ぎず、遊技者が主として遊技を楽しむ遊技領域において遊技球が視認困難となるわけではない。そのため、実際の遊技に際しては何ら支障が生じない。また、このような支障が生じない一方で、前面枠セット１４の十分な強度及び支持強度が確保可能となっている。ちなみに、パチンコ機１０の正面から見て外レール５２の左端位置と外枠１１の左端位置との左右方向の距離は２１ｍｍ、遊技領域の右端位置（内レール５１の右端位置）と外枠１１の右端位置との左右方向の距離は４４ｍｍとなっている。
【０１０１】
加えて、前面枠セット１４にはその周囲（例えばコーナー部分）に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が左右対称に設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。さらに、上皿１９周りにも、同じくＬＥＤ等の発光手段を内蔵した上皿電飾部１０４が設けられている。その他、中央電飾部１０３の左右側方には、賞球払出し中に点灯する賞球ランプ１０５と所定のエラー時に点灯するエラー表示ランプ１０６とが設けられている。また、環状電飾部１０２の下端部に隣接するようにして、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。
【０１０２】
また、窓部１０１の下方には貸球操作部１２０が配設されており、貸球操作部１２０には球貸しボタン１２１と、返却ボタン１２２と、度数表示部１２３とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。度数表示部１２３はカード等の残額情報を表示するものである。なお、カードユニットを介さずに球貸し装置等から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【０１０３】
また、図１に示すように、前面枠セット１４の左側の小窓１０７付近を前面側（図１の紙面手前側）に必要以上に突出しないようにしている。こうすることで、パチンコ機１０の左側に設けられたカードサンドの球貸し装置から直接に上皿１９に遊技球を貸し出す際に、当該球貸し装置のノーズ部（いわゆる象の鼻）の先端排出口を好適に上皿１９の上方位置に位置させることができ、当該球貸し装置のノーズ部から貸し出される遊技球を上皿１９で受けることができる。
【０１０４】
前面枠セット１４の裏側には、窓部１０１を囲むようにして金属製の各種補強部材が設けられている。詳しくは、図５に示すように、前面枠セット１４の裏側にあって窓部１０１の上下左右の外側にはそれぞれ補強板１３１，１３２，１３３，１３４が取り付けられている。これら補強板１３１〜１３４は相互に接触して連結されているが、図の左側及び上側の補強板１３２，１３３の連結部には直接の接触を避けるための樹脂パーツ１３５が介在されている。このように補強板１３２，１３３の連結部に樹脂パーツ１３５を介在させているので、ノイズが補強板１３１〜１３４でループすることを防止できる。また、図５の右側の補強板１３１にはその中間位置にフック状をなす係合爪１３１ａが設けられており、この係合爪１３１ａは、前面枠セット１４を閉じた状態で内枠１２の孔部１２ａ（図３参照）に係合されるように構成されている。この構成により、上皿１９を含む形態で前面枠セット１４が構成され、その上下の軸支位置が延長されたとしても、中間位置における前面枠セット１４の浮き上がりが防止できる。それ故、前面枠セット１４を浮かしての不正行為等が抑制されるようになっている。
【０１０５】
また、下側の補強板１３４には、前記発射レール６１（図３参照）に対向する位置に樹脂製のレール側壁部材１３６が設けられている。このレール側壁部材１３６は、前面枠セット１４を閉じた際に発射レール６１の側壁となる。故に、発射レール６１から遊技球がこぼれ落ちないようになっている。
【０１０６】
上述した補強板１３１〜１３４はガラス支持用の金枠としての機能も兼ね備えており、これら補強板１３１〜１３４の一部が後方に折り返されてガラス保持溝が形成されている。このガラス保持溝は前後に２列形成されており、矩形状をなす前後一対のガラス１３７が各ガラス保持溝にて保持される。これにより、２枚のガラス１３７が前後に所定間隔を隔てて取着されるようになっている。
【０１０７】
前述の通り本実施の形態のパチンコ機１０では遊技領域の拡張を図っていることから、前面枠セット１４を閉じた状態にあっては、内外のレール５２，５３により構成された誘導レールの一部が前面枠セット１４により覆い隠される構成となっている。それ故、当該誘導レールでは手前側の開放部がガラス１３７で覆えない部分ができてしまう。かかる場合、例えば、遊技球発射装置３８より発射された遊技球が戻り球防止部材５３まで至らず戻ってくると、当該遊技球が誘導レール外にこぼれたり（飛び出したり）、外レール５２とガラス１３７との間に挟まってしまうおそれがある。そこで本実施の形態では、前面枠セット１４に、誘導レールの手前側開放部を被覆するためのレールカバー１４０を取り付けている。
【０１０８】
レールカバー１４０は略円弧状をなす略平板体であって、透明な樹脂により形成されている。レールカバー１４０は、その円弧形状が前記誘導レールの形状に対応しており、窓部１０１の周縁部に沿って、誘導レールの基端部から先端部近傍までの区間を覆うようにして前面枠セット１４の裏側に取着されている。特にレールカバー１４０の内径側の寸法・形状は内レール５２のそれにほぼ一致する。レールカバー１４０が取着された状態では、その表面側がガラス１３７に当接した状態となる。前面枠セット１４が閉じられた状態においては、レールカバー１４０の裏面が誘導レールのほぼ全域を覆うこととなる。これにより、誘導レールのほとんどの区間において遊技球のガラス１３７への衝突を防止できる。従って、ガラス１３７への接触による破損等の悪影響を抑制することができる。
【０１０９】
また、レールカバー１４０の右端部（すなわち、レールカバー１４０を前面枠セット１４に取着した図５の状態で右端となる部位）には、誘導レールがガラス１３７の側縁部からはみ出した部分を被覆するための被覆部１４１が設けられている。これにより、遊技球が誘導レール外にこぼれたり（飛び出したり）、外レール５２とガラス１３７との間に挟まってしまうといった不具合の発生を防止することができる。
【０１１０】
さらに、レールカバー１４０の裏側には、その内側縁に沿って円弧状に延び且つ図５の手前側に突出した突条１４２が形成されている。突条１４２は、前面枠セット１４が閉じられた状態において、誘導レール内に入り込んだ状態で内レール５２にほぼ一体的に重なり合うよう構成されている。従って、例えば前面枠セット１４と内枠１２との隙間から針金等を侵入させて不正行為を行おうとしても、誘導レールの内側にある遊技領域にまで針金等を侵入させることが非常に困難となる。結果として、針金等を利用して行われる不正行為を防止することができる。なお、突条１４２をより広い範囲で、例えばレールカバー１４０の内側縁の全域に沿って形成する構成としても良く、かかる構成によれば、より広い範囲で針金等を侵入させにくくなり、針金等を利用して行われる不正行為をより確実に防止することができる。
【０１１１】
また、前面枠セット１４の図５の右端部（パチンコ機１０正面から見ると左端部）には、内枠１２の支持機構として、支持金具１５１，１５２が取り付けられている。従って、内枠１２側の支持金具８１，８２（図３参照）に対して前面枠セット１４側の支持金具１５１，１５２を組み付けることで、内枠１２に対して前面枠セット１４が開閉可能に装着されるようになる。
【０１１２】
次に、パチンコ機１０の背面の構成を詳しく説明する。図６はパチンコ機１０の背面図であり、図７はパチンコ機１０の背面構成を主要部品毎に分解して示す分解斜視図である。
【０１１３】
先ず、パチンコ機１０の背面構成について全体の概要を説明する。パチンコ機１０にはその背面（実際には内枠１２及び遊技盤３０の背面）において、各種制御基板が上下左右に並べられるようにして又は前後に重ねられるようにして配置されており、さらに、遊技球を供給するための遊技球供給装置（払出機構）や樹脂製の保護カバー等が取り付けられている。本実施の形態では、各種制御基板を２つの取付台に分けて搭載して２つの制御基板ユニットを構成し、それら制御基板ユニットを個別に内枠１２又は遊技盤３０の裏面に装着するようにしている。この場合、主基板と音声ランプ制御基板とを一方の取付台に搭載してユニット化すると共に、払出制御基板、発射制御基板及び電源基板を他方の取付台に搭載してユニット化している。ここでは便宜上、前者のユニットを「第１制御基板ユニット２０１」と称し、後者のユニットを「第２制御基板ユニット２０２」と称することとする。
【０１１４】
また、払出機構及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【０１１５】
第１制御基板ユニット２０１、第２制御基板ユニット２０２及び裏パックユニット２０３は、ユニット単位で何ら工具等を用いずに着脱できるよう構成されており、さらにこれに加え、一部に支軸部を設けて内枠１２又は遊技盤３０の裏面に対して開閉できる構成となっている。これは、各ユニット２０１〜２０３やその他構成が前後に重ねて配置されても、隠れた構成等を容易に確認することを可能とするための工夫でもある。
【０１１６】
実際には、図８の概略図に示すように各ユニット２０１〜２０３が配置され、取り付けられている。なお図８において、略Ｌ字状をなす第１制御基板ユニット２０１はパチンコ機１０のほぼ中央に配置され、その下方に第２制御基板ユニット２０２が配置されている。また、第１制御基板ユニット２０１に一部重なる領域に、裏パックユニット２０３が配置されている。
【０１１７】
詳しくは、第１制御基板ユニット２０１には、パチンコ機１０の背面から見て左端部に支軸部Ｍ１が設けられ、その支軸部Ｍ１による軸線Ａを中心に当該第１制御基板ユニット２０１が開閉可能となっている。また、第１制御基板ユニット２０１には、その右端部（すなわち支軸部と反対側、さらに言えば開放端側）にナイラッチ等よりなる締結部Ｍ２が設けられると共に上端部に係止爪部Ｍ３が設けられており、これら締結部Ｍ２及び係止爪部Ｍ３によって第１制御基板ユニット２０１がパチンコ機本体に対して固定保持されるようになっている。
【０１１８】
また、第２制御基板ユニット２０２には、パチンコ機１０の背面から見て右端部に支軸部Ｍ４が設けられ、その支軸部Ｍ４による軸線Ｂを中心に当該第２制御基板ユニット２０２が開閉可能となっている。また、第２制御基板ユニット２０２には、その左端部（すなわち支軸部と反対側、さらに言えば開放端側）にナイラッチ等よりなる締結部Ｍ５が設けられており、この締結部Ｍ５によって第２制御基板ユニット２０２がパチンコ機本体に対して固定保持されるようになっている。
【０１１９】
さらに、裏パックユニット２０３には、パチンコ機１０の背面から見て右端部に支軸部Ｍ６が設けられ、その支軸部Ｍ６による軸線Ｃを中心に当該裏パックユニット２０３が開閉可能となっている。また、裏パックユニット２０３には、その左端部（すなわち支軸部と反対側、さらに言えば開放端側）にナイラッチ等よりなる締結部Ｍ７が設けられると共に上端部及び下端部にそれぞれ回動式の係止部Ｍ８，Ｍ９が設けられており、これら締結部Ｍ７及び係止部Ｍ８，Ｍ９によって裏パックユニット２０３がパチンコ機本体に対して固定保持されるようになっている。
【０１２０】
この場合、各ユニット２０１〜２０３の展開方向は同一でなく、第１制御基板ユニット２０１は、パチンコ機１０の背面から見て左開きになるのに対し、第２制御基板ユニット２０２及び裏パックユニット２０３は、同右開きになるよう構成されている。
【０１２１】
一方、図９は、内枠１２に遊技盤３０を組み付けた状態でその構成を示す背面図である。また、図１０は内枠１２を後方より見た斜視図であり、図１１は遊技盤３０を後方より見た斜視図である。ここでは図９〜図１１を用いて内枠１２及び遊技盤３０の裏面構成を説明する。
【０１２２】
遊技盤３０は、樹脂ベース２０に囲まれた四角枠状の設置領域に設置され、内枠１２に設けられた複数（本実施の形態では４カ所）の係止固定具２１１，２１２によって脱落しないように固定されている。係止固定具２１１，２１２は手動で回動でき、固定位置（ロック位置）と固定解除位置（アンロック位置）とを切り換えることができるよう構成されており、図９にはロック状態を示す。遊技盤３０の左右３カ所の係止固定具２１１は金属片を折り曲げ形成したＬ型の金具であり、遊技盤３０の固定状態で内枠外方へ張り出さないよう構成されている。なお、遊技盤３０の下部１カ所の係止固定具２１２は樹脂製のＩ型の留め具である。
【０１２３】
遊技盤３０の中央には可変表示装置ユニット３５が配置されている。可変表示装置ユニット３５においては、センターフレーム４７（図３参照）を背後から覆う樹脂製（例えばＡＢＳ製）のフレームカバー２１３が後方に突出して設けられており、そのフレームカバー２１３の後端に、液晶表示装置たる第１図柄表示装置４２と表示制御装置４５とが前後に重ねられた状態で着脱可能に取り付けられている。フレームカバー２１３内には、センターフレーム４７に内蔵されたＬＥＤ等を駆動するためのＬＥＤ制御基板などが配設されている。
【０１２４】
また、遊技盤３０の裏面には、可変表示装置ユニット３５を取り囲むようにして裏枠セット２１５が取り付けられている。この裏枠セット２１５は、遊技盤３０の裏面に張り付くようにして設けられる薄型の樹脂成型品（例えばＡＢＳ製）であって、各種入賞口に入賞した遊技球を回収するための遊技球回収機構が形成されている。詳しくは、裏枠セット２１５の下方には、前述した一般入賞口３１、可変入賞装置３２、第１の始動口３３（それぞれ図３参照）の遊技盤開口部に対応し、且つ下流側で１カ所に集合する回収通路２１６が形成されている。また、遊技盤３０の下方には、内枠１２にやはり樹脂製（例えばポリカーボネート樹脂製）の排出通路盤２１７が取り付けられており、該排出通路盤２１７には、排出球をパチンコ機１０外部へ案内するための排出通路２１８が形成されている。従って、図９に仮想線で例示するように、一般入賞口３１等に入賞した遊技球は何れも裏枠セット２１５の回収通路２１６を介して集合し、さらに排出通路盤２１７の排出通路２１８を介してパチンコ機１０外部に排出される。なお、アウト口３６（図３参照）も同様に排出通路２１８に通じており、何れの入賞口にも入賞しなかった遊技球も排出通路２１８を介してパチンコ機１０外部に排出される。
【０１２５】
上記構成では、遊技盤３０の下端面を境界にして、上方に裏枠セット２１５（回収通路２１６）が、下方に排出通路盤２１７（排出通路２１８）が設けられており、排出通路盤２１７が遊技盤３０に対して前後方向に重複（オーバーラップ）せずに設けられている。従って、遊技盤３０を内枠１２から取り外す際において、排出通路盤２１７が遊技盤取り外しの妨げになるといった不都合が生じることもない。
【０１２６】
なお、排出通路盤２１７は、パチンコ機前面の上皿１９の丁度裏側辺りに設けられており、上皿１９に至る球排出口（図２の球通路樋６９）より針金等を差し込み、さらにその針金等を内枠１２と排出通路盤２１７との隙間を通じて遊技領域側に侵入させるといった不正行為が考えられる。そこで本パチンコ機１０では、排出通路盤２１７の上皿１９の丁度裏側辺りに、内枠１２にほぼ一体的に重なり合うようにしてパチンコ機前方に延びるプレート２１９が設けられている。従って、内枠１２と排出通路盤２１７との隙間から針金等を侵入させようとしてもそれがプレート２１９にて阻害され、遊技領域にまで針金等を侵入させることが非常に困難となる。結果として、針金等を利用して可変入賞装置３２（大入賞口）を強制的に開放する等の不正行為を防止することができる。
【０１２７】
また、遊技盤３０の裏面には、各種入賞口などの遊技球の通過を検出するための入賞感知機構などが設けられている。具体的には、遊技盤３０表側の一般入賞口３１に対応する位置には入賞口スイッチ２２１が設けられ、可変入賞装置３２には、特定領域スイッチ２２２とカウントスイッチ２２３とが設けられている。特定領域スイッチ２２２は、大当たり状態で可変入賞装置３２に入賞した遊技球が特定領域（大当たり状態継続を判定するための領域）に入ったことを判定するスイッチであり、カウントスイッチ２２３は入賞球をカウントするスイッチである。また、第１の始動口３３に対応する位置には作動口スイッチ２２４が設けられ、第２の始動口３４に対応する位置にはゲートスイッチ２２５が設けられている。なお、上述した作動口スイッチ２２４が本発明における入賞検出手段に相当する。
【０１２８】
入賞口スイッチ２２１及びゲートスイッチ２２５は、図示しない電気配線を通じて盤面中継基板２２６に接続され、さらにこの盤面中継基板２２６が後述する主基板（主制御装置）に接続されている。また、特定領域スイッチ２２２及びカウントスイッチ２２３は大入賞口中継基板２２７に接続され、さらにこの大入賞口中継基板２２７がやはり主基板に接続されている。これに対し、作動口スイッチ２２４は中継基板を介さずに直接主基板に接続されている。
【０１２９】
その他図示は省略するが、可変入賞装置３２には、大入賞口を開放するための大入賞口ソレノイドと、入賞球を特定領域に導くための入賞球振分板ソレノイドが設けられ、第１の始動口３３には、電動役物を開放するための作動口ソレノイドが設けられている。なお、図９において符号２２８は打球槌等を備えるセットハンドルであり、符号２２９は発射モータである。
【０１３０】
上記入賞感知機構にて各々検出された検出結果は、後述する主基板に取り込まれ、該主基板よりその都度の入賞状況に応じた払出指令（遊技球の払出個数）が払出制御基板に送信される。そして、該払出制御基板の出力により所定数の遊技球の払出が実施される。かかる場合、各種入賞口に入賞した遊技球を入賞球処理装置に一旦集め、その入賞球処理装置で入賞球の存在を１つずつ順番に確認した上で払出を行う従来方式（いわゆる証拠球方式）とは異なり、本実施の形態のパチンコ機１０では、各種入賞口毎に遊技球の入賞を電気的に感知して払出が直ちに行われる（すなわち、本パチンコ機１０では入賞球処理装置を廃止している）。故に、払い出す遊技球が多量にあっても、その払出をいち早く実施することが可能となる。但し、本発明に従来の「証拠球方式」を適用してもよい。
【０１３１】
また、裏枠セット２１５には、第１制御基板ユニット２０１を取り付けるための取付機構が設けられている。具体的には、この取付機構として、遊技盤３０の裏面から見て左下隅部には上下方向に延びる支持金具２３１が設けられ、この支持金具２３１には同一軸線上に上下一対の支持孔２３１ａが形成されている。その他、遊技盤３０の右下部において符号２３２は上下一対の被締結孔（ナイラッチ孔）であり、同左上部において符号２３３は係止爪片である。
【０１３２】
また、内枠１２の裏面には、第２制御基板ユニット２０２や裏パックユニット２０３を取り付けるための取付機構が設けられている。具体的には、内枠１２にはその右端部に長尺状の支持金具２３５が取り付けられており、その構成を図１２に示す。図１２に示すように、支持金具２３５は長尺板状の金具本体２３６を有し、その金具本体２３６より起立させるようにして、下方２カ所に第２制御基板ユニット用の支持孔部２３７が形成されると共に、上方２カ所に裏パックユニット用の支持孔部２３８が形成されている。それら支持孔部２３７，２３８にはそれぞれ同軸の支持孔が形成されている。その他、第２制御基板ユニット用の取付機構として、内枠１２には、遊技盤設置領域よりも下方左端部に上下一対の被締結孔（ナイラッチ孔）２３９が設けられている。また、裏パックユニット用の取付機構として、内枠１２には、遊技盤設置領域の左端部に上下一対の被締結孔（ナイラッチ孔）２４０が設けられている。但し、第２制御基板ユニット用の支持金具と裏パックユニット用の支持金具とを各々個別の部材で設けることも可能である。符号２４１，２４２，２４３は、遊技盤３０との間に裏パックユニット２０３を挟み込んで支持するための回動式の固定具である。
【０１３３】
その他、内枠１２の背面構成において、遊技盤３０の右下部には、後述する払出機構部３５２より払い出される遊技球を上皿１９、下皿１５、又は排出通路２１８の何れかに振り分けるための遊技球分配部２４５が設けられている。すなわち、遊技球分配部２４５の開口部２４５ａは上皿１９に通じ、開口部２４５ｂは下皿１５に通じ、開口部２４５ｃは排出通路２１８に通じる構成となっている。図１０，２０に示すように、遊技球分配部２４５は、その上方位置に位置する後述の払出機構部３５２とは別体としている。図１０に示すように、遊技球分配部２４５は、内枠１２にネジで締結固定されており、パチンコ機１０の上皿１９の排出口６７（図３参照）から異物を挿入操作するなどしても動かない、つまり遊技球分配部２４５が奥側に押されて遊技球分配部２４５と内枠１２との間に隙間が空くようなことが無いし、この隙間に異物を挿入するなどによる不正を防止できる。
【０１３４】
また、内枠１２の下端部には、下皿１５に設置されたスピーカの背後を囲むための樹脂製のスピーカボックス２４６が取り付けられており、このスピーカボックス２４６により低音域の音質改善が図られている。
【０１３５】
次に、第１制御基板ユニット２０１を、図１３〜図１６を用いて説明する。図１３は第１制御基板ユニット２０１の正面図、図１４は同ユニット２０１の斜視図、図１５は同ユニット２０１の分解斜視図、図１６は同ユニット２０１を裏面から見た分解斜視図である。
【０１３６】
第１制御基板ユニット２０１は略Ｌ字状をなす取付台２５１を有し、この取付台２５１に主制御装置２６１と音声ランプ制御装置２６２とが搭載されている。ここで、主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備しており、この主基板が透明樹脂材料等よりなる基板ボックス２６３（被包手段）に収容されて構成されている。なお、基板ボックス２６３は、略直方体形状のボックスベースと該ボックスベースの開口部を覆うボックスカバーとを備えている。これらボックスベースとボックスカバーとは封印ユニット２６４（封印手段）によって開封不能に連結され、これにより基板ボックス２６３が封印されている。
【０１３７】
封印手段としての封印ユニット２６４はボックスベースとボックスカバーとを開封不能に連結する構成であれば任意の構成が適用できるが、ここでは図１４等に示すように、５つの封印部材が連結された構成となっており、この封印部材の長孔に係止爪を挿入することでボックスベースとボックスカバーとが開封不能に連結されるようになっている。封印ユニット２６４による封印処理は、その封印後の不正な開封を防止し、また万一不正開封が行われてもそのような事態を早期に且つ容易に発見可能とするものであって、一旦開封した後でも再度開封・封印処理を行うこと自体は可能である。すなわち、封印ユニット２６４を構成する５つの封印部材のうち、少なくとも一つの封印部材の長孔に係止爪を挿入することにより封印処理が行われる。そして、収容した主基板の不具合などにより基板ボックス２６３を開封する場合には、係止爪が挿入された封印部材と他の封印部材との連結を切断する。その後、再度封印処理する場合は他の封印部材の長孔に係止爪を挿入する。基板ボックス２６３の開封を行った旨の履歴を当該基板ボックス２６３に残しておけば、基板ボックス２６３を見ることで不正な開封が行われた旨が容易に発見できる。
【０１３８】
また、音声ランプ制御装置２６２は、例えば主制御装置２６１（主基板）又は表示制御装置４５からの指示に従い音声やランプ表示の制御を司るＣＰＵや、その他ＲＯＭ、ＲＡＭ、各種ポート等を含む音声ランプ制御基板を具備しており、この音声ランプ制御基板が透明樹脂材料等よりなる基板ボックス２６５に収容されて構成されている。音声ランプ制御装置２６２上には電源中継基板２６６が搭載されており、後述する電源基板より供給される電源がこの電源中継基板２６６を介して表示制御装置４５及び音声ランプ制御装置２６２に出力されるようになっている。
【０１３９】
取付台２５１は、有色（例えば緑、青等）の樹脂材料（例えばポリカーボネート樹脂製）にて成形され、その表面に平坦状をなす２つの基板搭載面２５２，２５３が設けられている。これら基板搭載面２５２，２５３は直交する向きに延び、前後方向に段差をもって形成されている。但し、取付台２５１は無色透明又は半透明の樹脂成型品であっても良い。
【０１４０】
そして、一方の基板搭載面２５２上に主制御装置２６１（主基板）が横長の向きに配置されると共に、他方の基板搭載面２５３上に音声ランプ制御装置２６２（音声ランプ制御基板）が縦長の向きに配置されるようになっている。特に、主制御装置２６１は、パチンコ機１０裏面から見て手前側に配置され、音声ランプ制御装置２６２はその奥側に配置される。この場合、基板搭載面２５２，２５３が前後方向に段差をもって形成されているため、これら基板搭載面２５２，２５３に主制御装置２６１及び音声ランプ制御装置２６２を搭載した状態において各制御装置２６１，２６２はその一部を前後に重ねて配置されるようになる。つまり、図１４等にも見られるように、主制御装置２６１はその一部（本実施の形態では１／３程度）が浮いた状態で配置されるようになる。故に、主制御装置２６１に重なる領域まで音声ランプ制御装置２６２を拡張することが可能となり、当該制御基板の大型化にも良好に対処できる。また、各制御装置が効率良く設置できるようになる。また、第１制御基板ユニット２０１を遊技盤３０に装着した状態では、基板搭載面２５２の後方にスペースが確保され、可変入賞装置３２やその電気配線等が無理なく設置できるようになっている。
【０１４１】
図１５及び図１６に示すように、主基板用の基板搭載面２５２には、左右２カ所に横長形状の貫通孔２５４が形成されている。これに対応して、主制御装置２６１の基板ボックス２６３には、その裏面の左右２カ所に回動式の固定具２６７が設けられている。主制御装置２６１を基板搭載面２５２に搭載する際には、基板搭載面２５２の貫通孔２５４に固定具２６７が通され、その状態で固定具２６７が回動されて主制御装置２６１がロックされる。従って、上述の通り主制御装置２６１はその一部が浮いた状態で配置されるとしても、当該主制御装置２６１の脱落等の不都合が回避できる。また、主制御装置２６１は、裏パックユニット２０３を軸線Ｃを軸心として開き、第１制御基板ユニット２０１を軸線Ａを軸心として開いた後に、この第１制御基板ユニット２０１（基板搭載面２５２）の裏面側から固定具２６７をロック解除しなければ、取り外しできないため、基板取り外し等の不正行為に対して抑止効果が期待できる。主基板用の基板搭載面２５２にはその裏面に格子状のリブ２５５が設けられている。
【０１４２】
取付台２５１には、図１４等の左端面に上下一対の支軸２５６が設けられており、この支軸２５６を図９等に示す支持金具２３１に取り付けることで、第１制御基板ユニット２０１が遊技盤３０に対して開閉可能に支持される。また、取付台２５１には、右端部に締結具として上下一対のナイラッチ２５７が設けられると共に上端部に長孔２５８が設けられており、ナイラッチ２５７を図９等に示す被締結孔２３２にはめ込むと共に、長孔２５８に図９等に示す係止爪片２３３を係止させることで、第１制御基板ユニット２０１が遊技盤３０に固定されるようになる。なお、支持金具２３１及び支軸２５６が前記図８の支軸部Ｍ１に、被締結孔２３２及びナイラッチ２５７が締結部Ｍ２に、係止爪片２３３及び長孔２５８が係止爪部Ｍ３に、それぞれ相当する。
【０１４３】
次に、第２制御基板ユニット２０２を、図１７〜図１９を用いて説明する。図１７は第２制御基板ユニット２０２の正面図、図１８は同ユニット２０２の斜視図、図１９は同ユニット２０２の分解斜視図である。但し、図１８では便宜上、カードユニット接続基板３１４が取付台３０１から取り外された状態を示している。
【０１４４】
第２制御基板ユニット２０２は横長形状をなす取付台３０１を有し、この取付台３０１に払出制御装置３１１、発射制御装置３１２、電源装置３１３及びカードユニット接続基板３１４が搭載されている。払出制御装置３１１、発射制御装置３１２及び電源装置３１３は周知の通り制御の中枢をなすＣＰＵや、その他ＲＯＭ、ＲＡＭ、各種ポート等を含む制御基板を具備しており、払出制御装置３１１の払出制御基板により、賞品球や貸出球の払出が制御される。また、発射制御装置３１２の発射制御基板により、遊技者による遊技球発射ハンドル１８の操作に従い発射モータ２２９の制御が行われ、電源装置３１３の電源基板により、各種制御装置等で要する所定の電源電圧が生成され出力される。カードユニット接続基板３１４は、パチンコ機前面の貸球操作部１２０（図１参照）及び図示しないカードユニットに電気的に接続され、遊技者による球貸し操作の指令を取り込んでそれを払出制御装置３１１に出力するものである。なお、カードユニットを介さずに球貸し装置等から上皿に遊技球が直接貸し出される現金機では、カードユニット接続基板３１４は不要である。
【０１４５】
上記払出制御装置３１１、発射制御装置３１２、電源装置３１３及びカードユニット接続基板３１４は、透明樹脂材料等よりなる基板ボックス３１５，３１６，３１７，３１８にそれぞれ収容されて構成されている。特に、払出制御装置３１１では、前述した主制御装置２６１と同様、基板ボックス３１５（被包手段）を構成するボックスベースとボックスカバーとが封印ユニット３１９（封印手段）によって開封不能に連結され、これにより基板ボックス３１５が封印されている。
【０１４６】
払出制御装置３１１には状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られるようになっている。
【０１４７】
また、電源装置３１３にはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰できるようになっている。従って、通常手順で（例えばホールの営業終了時に）電源遮断すると電源遮断前の状態が記憶保持されることから、電源投入時に初期状態に戻したい場合には、ＲＡＭ消去スイッチ３２３を押しながら電源を投入することとしている。
【０１４８】
取付台３０１は例えば無色透明な樹脂成型品よりなり、その表面に平坦状をなす基板搭載面３０２が設けられている。この場合、発射制御装置３１２、電源装置３１３及びカードユニット接続基板３１４は取付台３０１の基板搭載面３０２に横並びの状態で直接搭載され、電源装置３１３の基板ボックス３１７上に払出制御装置３１１が搭載されている。
【０１４９】
また、取付台３０１には、図１７等の右端部に上下一対の支軸３０５が設けられており、この支軸３０５を図９等に示す支持孔部２３７に上方から挿通させることで、第２制御基板ユニット２０２が内枠１２に対して開閉可能に支持される。また、取付台３０１には、左端部に締結具として上下一対のナイラッチ３０６が設けられており、ナイラッチ３０６を図９等に示す被締結孔２３９にはめ込むことで、第２制御基板ユニット２０２が内枠１２に開閉不能に固定されるようになる。なお、支持孔部２３７及び支軸３０５が前記図８の支軸部Ｍ４に、被締結孔２３９及びナイラッチ３０６が締結部Ｍ５に、それぞれ相当する。
【０１５０】
次に、裏パックユニット２０３の構成を説明する。裏パックユニット２０３は、樹脂成形された裏パック３５１と遊技球の払出機構部３５２とを一体化したものであり、裏パックユニット２０３の正面図を図２０に示し、分解斜視図を図２１に示す。
【０１５１】
裏パック３５１は例えばＡＢＳ樹脂により一体成型されており、略平坦状のベース部３５３と、パチンコ機後方に突出し横長の略直方体形状をなす保護カバー部３５４とを有する。保護カバー部３５４は左右側面及び上面が閉鎖され且つ下面のみが開放された形状をなし、少なくとも可変表示装置ユニット３５を囲むのに十分な大きさを有する（但し本実施の形態では、前述の音声ランプ制御装置２６２も合わせて囲む構成となっている）。保護カバー部３５４の背面には多数の通気孔３５４ａが設けられている。この通気孔３５４ａは各々が長孔状をなし、それぞれの通気孔３５４ａが比較的近い位置で隣り合うよう設けられている。従って、隣り合う通気孔３５４ａ間にある樹脂部分を切断することにより、裏パック３５１の背面を容易に開口させることができる。つまり、通気孔３５４ａ間の樹脂部分を切断してその内部の表示制御装置４５等を露出させることで、所定の検定等を容易に実施することができる。
【０１５２】
また、ベース部３５３には、保護カバー部３５４を迂回するようにして払出機構部３５２が配設されている。すなわち、裏パック３５１の最上部には上方に開口したタンク３５５が設けられており、このタンク３５５には遊技ホールの島設備から供給される遊技球が逐次補給される。タンク３５５の下方には、例えば横方向２列（２条）の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ等の所定の電気的構成により必要個数の遊技球の払出が適宜行われる。そして、払出装置３５８より払い出された遊技球は図２１に示す払出通路３５９等を通じて前記上皿１９に供給される。
【０１５３】
タンクレール３５６と、当該タンクレール３５６に振動を付加するためのバイブレータ３６０とが一体化となるようにユニット化されている。つまり、バイブレータ３６０が例えば２本のネジでタンクレール３５６に締結されて取り付けられるようになっている。さらに、バイブレータ３６０は、タンクレール３５６に面接触するのではなく、当該２本のネジの部分で接触するようになっており、バイブレータ３６０による振動がより効果的にタンクレール３５６に伝わるようになっている。従って、仮にタンクレール３５６付近で球詰まりが生じた際、バイブレータ３６０が駆動されることで球詰まりが解消されるようになっている。
【０１５４】
タンクレール３５６の構成について詳述すると、図２２に示すように、タンクレール３５６は上方に開口した長尺樋状をなすレール本体３６１を有し、レール本体３６１の始端部には球面状の球受部３６２が設けられている。この球受部３６２により、タンク３５５より落下してきた遊技球が円滑にレール本体３６１内に取り込まれる。また、レール本体３６１には長手方向に延びる仕切壁３６３が設けられており、この仕切壁３６３により遊技球が二手に分流されるようになっている。仕切壁３６３により仕切られた２条の球通路は遊技球の直径よりも僅かに幅広となっている。仕切壁３６３により仕切られた各球通路の底面には、１筋又は２筋の突条３６４が設けられると共に、その突条３６４の側方に開口部３６５が設けられている。
【０１５５】
また、レール本体３６１には、その下流側半分程度の天井部分を覆うようにして整流板３６７が配設されている。この整流板３６７は、下流側になるほどタンクレール３５６内の球通路高さを制限するよう弓なりに反った形状をしており、さらにその下面には長手方向に延びる凸部３６８が形成されている。これにより、タンクレール３５６内を流れる各遊技球は最終的には上下に積み重なることなく下流側に流出する。従って、タンクレール３５６に多量の遊技球群が流れ込んできても、遊技球の噛み込みが防止され、タンクレール３５６内における球詰まりが解消されるようになっている。なお、レール本体３６１が黒色の導電性ポリカーボネート樹脂により成形されるのに対し、整流板３６７は透明のポリカーボネート樹脂により成形されている。整流板３６７は着脱可能に設けられており、当該整流板３６７を取り外すことによりタンクレール３５６内のメンテナンスが容易に実施できるようになっている。
【０１５６】
図２０，２１の説明に戻り、払出機構部３５２には、払出制御装置３１１から払出装置３５８への払出指令の信号を中継する払出中継基板３８１が設置されると共に、外部より主電源を取り込むための電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦとされるようになっている。
【０１５７】
タンク３５５から払出通路３５９に至るまでの払出機構部３５２は何れも導電性を有する樹脂材料（例えば導電性ポリカーボネート樹脂）にて成形され、その一部にてアースされている。これにより、遊技球の帯電によるノイズの発生が抑制されるようになっている。
【０１５８】
また、裏パック３５１には、図２０等の右端部に上下一対の支軸３８５が設けられており、この支軸３８５を図９等に示す支持孔部２３８に上方から挿通させることで、裏パックユニット２０３が内枠１２に対して開閉可能に支持される。また、裏パック３５１には、左端部に締結具として上下一対のナイラッチ３８６が設けられると共に、上端部に係止孔３８７が設けられており、ナイラッチ３８６を図９等に示す被締結孔２４０にはめ込むと共に、係止孔３８７に図９等に示す固定具２４２を係止させることで、裏パックユニット２０３が内枠１２に開閉不能に固定されるようになる。このとき、図９等に示す固定具２４１，２４３によっても裏パックユニット２０３が内枠１２に固定される。なお、支持孔部２３８及び支軸３８５が前記図８の支軸部Ｍ６に、被締結孔２４０及びナイラッチ３８６が締結部Ｍ７に、固定具２４２及び係止孔３８７が係止部Ｍ８に、それぞれ相当する。また、固定具２４３が係止部Ｍ９に相当する。
【０１５９】
なお、図６，図２０に示すように、内枠１２の右上側には、内枠１２が外枠１１に対して開かれたことを検出する内枠開検出スイッチ３８８が設けられている。内枠１２が開かれると、内枠開検出スイッチ３８８からホール内（パチンコ店内）用コンピュータへ出力されるようになっている。
【０１６０】
なお、図９に示すように、裏パックユニット２０３は、被締結孔２４０及びナイラッチ３８６と、固定具２４１，２４２とによって、内枠１２の裏面に着脱自在に取り付けられている。このように固定具２４１，２４２も用いているので、タンク３５５に供給される遊技球の重みで裏パックユニット２０３が内枠１２から外れてしまうことを防止している。
【０１６１】
次に、本パチンコ機１０の電気的構成について、図２３を用いて説明する。図２３は、本パチンコ機１０の電気的構成を示したブロック図である。本パチンコ機１０は、主制御装置２６１と、払出制御装置３１１と、発射制御装置３１２と、表示制御装置４５と、電源装置３１３などを備えている。以下に、これらの装置を個別に詳細に説明する。
【０１６２】
パチンコ機１０の主制御装置２６１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ送受信回路などの各種回路が内蔵されている。
【０１６３】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するためのメモリやエリアの他に、バックアップエリア５０３ａが設けられている。
【０１６４】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくためのエリアである。バックアップエリア５０３ａへの書き込みは、ＮＭＩ割込み処理（図３３参照）によって電源切断時に実行され、逆にバックアップエリア５０３ａに書き込まれた各値の復帰は、電源入時（停電解消による電源入を含む。以下同様）の復電処理において実行される。なお、ＣＰＵ５０１のＮＭＩ端子（ノンマスカブル割込端子）には、停電等の発生による電源断時に、後述する停電監視回路５４２から出力される停電信号Ｓ１が入力されるように構成されており、停電の発生により、図３３の停電処理（ＮＭＩ割込み処理）が即座に実行される。
【０１６５】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路６４３、払出制御装置３１１、表示制御装置４５や、その他図示しないスイッチ群などが接続されている。
【０１６６】
また、払出制御装置３１１は、払出モータにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１６７】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するためのメモリやエリアの他に、バックアップエリア５１３ａが設けられている。
【０１６８】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくためのエリアである。このバックアップエリア５１３ａへの書き込みは、ＮＭＩ割込み処理（図３３参照）によって電源切断時に実行され、逆にバックアップエリア５１３ａに書き込まれた各値の復帰は、電源入時の復電処理において実行される。
【０１６９】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出モータ３５８ａなどがそれぞれ接続されている。
【０１７０】
発射制御装置３１２は、発射モータ２２９による遊技球の発射を許可又は禁止するものであり、発射モータ２２９は、所定条件が整っている場合に駆動が許可される。具体的には、払出制御装置３１１から発射許可信号が出力されていること、遊技者が遊技球発射ハンドル１８をタッチしていることをセンサ信号により検出していること、発射を停止させるための発射停止スイッチが操作されていないことを条件に、発射モータ２２９が駆動され、遊技球発射ハンドル１８の操作量に応じた強度で遊技球が発射される。
【０１７１】
表示制御装置４５は、第１図柄表示装置４２における第１図柄の変動表示と、第２図柄表示装置４１における第２図柄の変動表示とを制御するものである。この表示制御装置４５は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、２つの出力ポート５２８，５２９と、バスライン５３０，５３１とを備えている。入力ポート５２７の入力には主制御装置２６１の出力が接続され、入力ポート５２７の出力には、ＣＰＵ５２１、ＲＯＭ５２２、ワークＲＡＭ５２３、画像コントローラ５２６が接続されると共にバスライン５３０を介して一方の出力ポート５２８が接続されている。出力ポート５２８の出力には第２図柄表示装置４１（表示部４３）や、音声ランプ制御装置２６２が接続されている。また、画像コントローラ５２６にはバスライン５３１を介して出力ポート５２９が接続されており、その出力ポート５２９の出力には液晶表示装置である第１図柄表示装置４２が接続されている。
【０１７２】
表示制御装置４５のＣＰＵ５２１は、主制御装置２６１から送信される表示コマンドに基づいて第１図柄表示装置４２及び第２図柄表示装置４１の表示を制御する。０２６４
ＲＯＭ５２２は、そのＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【０１７３】
ビデオＲＡＭ５２４は、第１図柄表示装置４２に表示される表示データを記憶するためのメモリであり、このビデオＲＡＭ５２４の内容を書き替えることにより、第１図柄表示装置４２の表示内容が変更される。キャラクタＲＯＭ５２５は、第１図柄表示装置４２に表示される図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して第１図柄表示装置４２に表示させるものである。
【０１７４】
また、電源装置３１３は、パチンコ機１０の各部に電力を供給するための電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆部するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【０１７５】
停電監視回路５４２は、停電等の発生による電源断時に、主制御装置２６１のＣＰＵ５０１及び払出制御装置３１１のＣＰＵ５１１の各ＮＭＩ端子へ停電信号Ｓ１を出力するための回路である。停電監視回路５４２は、電源部５４１で交流５ボルトの電圧を監視し、この電圧が５ボルト未満になった時間が例えば２０ミリ秒を超えた場合に停電（電源断）の発生と判断して、停電信号Ｓ１を主制御装置２６１及び払出制御装置３１１へ出力する。この停電信号Ｓ１の出力によって、主制御装置２６１及び払出制御装置３１１は、停電の発生を認識し、停電時処理（図３３のＮＭＩ割込み処理）を実行する。
【０１７６】
なお、電源部５４１は、電源部５４１で監視している交流５ボルトが５ボルト未満となった時間が２０ミリ秒を越えた後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１７７】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアするための回路である。ＲＡＭ消去スイッチ３２３が押下された際、ＲＡＭ消去スイッチ回路５４３は、ＲＡＭ消去信号Ｓ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，６１３のデータがクリアされる。
【０１７８】
ところで、第１図柄表示装置（液晶表示装置）４２には、図２４に示すように、左・中・右の３つの図柄列Ｌ，Ｍ，Ｒが設定されており、図柄列Ｌ，Ｍ，Ｒ毎に上図柄、中図柄、下図柄の３個ずつの図柄（第１図柄：例えば特別図柄）が変動表示される。本実施の形態では、一連の図柄は、「０」〜「９」の数字を各々付した主図柄と、菱形状の絵図柄からなる副図柄とにより構成されており、数字の昇順又は降順に主図柄が表示されると共に各主図柄の間に副図柄が配されて一連の図柄列Ｌ，Ｍ，Ｒが構成されている。そして、周期性を持って主図柄と副図柄が上から下へと変動表示されるようになっている。
【０１７９】
かかる場合、左図柄列Ｌにおいては、上記一連の図柄が降順（すなわち、主図柄の番号が減る順）に表示され、中図柄列Ｍ及び右図柄列Ｒにおいては、同じく上記一連の図柄が昇順（すなわち、主図柄の番号が増える順）に表示される。そして、左図柄列Ｌ→右図柄列Ｒ→中図柄列Ｍの順に変動表示が停止し、その停止時に第１図柄表示装置４２上の５つの有効ライン、すなわち上ラインＬ１、中ラインＬ２、下ラインＬ３、右上がりラインＬ４、左上がりラインＬ５の何れかで主図柄が大当たり図柄の組合せ（本実施の形態では、同一の主図柄の組合せ）で揃えば大当たりとして特別遊技動画が表示されるようになっている。
【０１８０】
次に、上記の如く構成されたパチンコ機１０の動作について説明する。
【０１８１】
本実施の形態では、主制御装置２６１内のＣＰＵ５０１は、遊技に際し各種カウンタ情報を用いて第１図柄表示装置４２の抽選（大当たり抽選）や図柄表示の設定などを行うこととしており、具体的には、図２５に示すように、第１図柄表示装置４２の大当たりの抽選に使用する大当たり乱数カウンタＣ１と、第１図柄表示装置４２の大当たり図柄の選択に使用する大当たり図柄カウンタＣ２と、第１図柄表示装置４２が外れ変動する際のリーチ抽選に使用するリーチ乱数カウンタＣ３と、大当たり乱数カウンタＣ１の初期値設定に使用する乱数初期値カウンタＣＩＮＩと、第１図柄表示装置４２の変動パターン選択に使用する変動種別カウンタＣＳ１，ＣＳ２と、左列、中列及び右列の各外れ図柄の設定に使用する左・中・右の各外れ図柄カウンタＣＬ，ＣＭ，ＣＲとを用いることとしている。上述した各カウンタは、ＣＰＵ５０１で実行されるプログラムにより構成されている。
【０１８２】
このうち、カウンタＣ１〜Ｃ３，ＣＩＮＩ，ＣＳ１，ＣＳ２は、その更新の都度、前回値に「１」が加算され（以下、「更新」という）、最大値に達した後「０」に戻るループカウンタとなっている。また、外れ図柄カウンタＣＬ，ＣＭ，ＣＲは、ＣＰＵ５０１内のＲレジスタ（リフレッシュレジスタ）を用いてレジスタ値が加算され、結果的に数値がランダムに変化する構成となっている。各カウンタは定期的に更新され、その更新値がＲＡＭ５０３の所定領域に設定されたカウンタ用バッファに適宜格納される。また、ＲＡＭ５０３には、１つの実行エリアと４つの保留エリア（保留第１〜第４エリア）とからなる保留球格納エリアが設けられており、これらの各エリアには、第１の始動口３３への遊技球の入賞履歴に合わせて、大当たり乱数カウンタＣ１、大当たり図柄カウンタＣ２及びリーチ乱数カウンタＣ３の各値が時系列的に格納されるようになっている。
【０１８３】
各カウンタについて詳しくは、大当たり乱数カウンタＣ１は、例えば「０」〜「６７６」の範囲内で順に「１」ずつ加算され、最大値（つまり「６７６」）に達した後「０」に戻る構成となっている。特に大当たり乱数カウンタＣ１が１周した場合、その時点の乱数初期値カウンタＣＩＮＩの値が当該大当たり乱数カウンタＣ１の初期値として読み込まれる。なお、乱数初期値カウンタＣＩＮＩは、大当たり乱数カウンタＣ１と同様のループカウンタであり（値＝０〜６７６）、タイマ割込み毎に１回更新されると共に通常処理の残余時間内で綴り返し更新される。大当たり乱数カウンタＣ１は定期的に（本実施の形態ではタイマ割込み毎に１回）更新され、遊技球が第１の始動口３３に入賞したタイミングでＲＡＭ５０３の保留球格納エリアに格納される。大当たりとなる乱数の値の数は、低確率時と高確率時とで２種類設定されており、低確率時に大当たりとなる乱数の値の個数は２で、その値は「３３７，６７３」であり、高確率時に大当たりとなる乱数の値の個数は１０で、その値は  「６７，１３１，１９９，２８９，３３７，４０１，４６３，５２３，６０１，６６１」である。なお、高確率時とは、予め定められた確率変動図柄によって大当たりになり付加価値としてその後の大当たり確率がアップした状態、いわゆる「確変」の時をいい、通常時（低確率時）とはそのような確変状態でない時をいう。
【０１８４】
大当たり図柄カウンタＣ２は、大当たりの際、第１図柄表示装置４２の変動停止時の図柄を決定するものであり、本実施の形態では、第１図柄表示装置４２において有効ラインが５ラインであり、特定図柄（主図柄）が１０通り設定されていることから、５０個（０〜４９）のカウンタ値が用意されている。すなわち、大当たり図柄カウンタＣ２は、０〜４９の範囲内で順に１ずつ加算され、最大値（つまり４９）に達した後０に戻る構成となっている。大当たり図柄カウンタＣ２は定期的に（本実施の形態ではタイマ割込み毎に１回）更新され、遊技球が第１の始動口３３に入賞したタイミングでＲＡＭ５０３の保留球格納エリアに格納される。
【０１８５】
また、リーチ乱数カウンタＣ３は、例えば０〜２３８の範囲内で順に１ずつ加算され、最大値（つまり２３８）に達した後０に戻る構成となっている。本実施の形態では、リーチ乱数カウンタＣ３によって、リーチ発生した後最終停止図柄がリーチ図柄の前後に１つだけずれて停止する「前後外れリーチ」と、同じくリーチ発生した後最終停止図柄がリーチ図柄の前後以外で停止する「前後外れ以外リーチ」と、リーチ発生しない「完全外れ」とを抽選することとしており、例えば、Ｃ３＝０，１が前後外れリーチに該当し、Ｃ３＝２〜２１が前後外れ以外リーチに該当し、Ｃ３＝２２〜２３８が完全外れに該当する。なお、リーチの抽通は、第１図柄表示装置４２の抽選確率の状態や変動開始時の作動保留球数等に応じて各々個別に設定されるものであっても良い。リーチ乱数カウンタＣ３は定期的に（本実施の形態ではタイマ割込み毎に１回）更新され、遊技球が第１の始動口３３に入賞したタイミングでＲＡＭ５０３の保留球格納エリアに格納される。
【０１８６】
また、２つの変動種別カウンタＣＳ１，ＣＳ２のうち、一方の変動種別カウンタＣＳ１は、例えば０〜１９８の範囲内で順に１ずつ加算され、最大値（つまり１９８）に達した後０に戻る構成となっており、他方の変動種別カウンタＣＳ２は、例えば０〜２４０の範囲内で順に１ずつ加算され、最大値（つまり２４０）に達した後０に戻る構成となっている。以下の説明では、ＣＳ１を「第１変動種別カウンタ」、ＣＳ２を「第２変動種別カウンタ」ともいう。第１変動種別カウンタＣＳ１によって、いわゆるノーマルリーチ、スーパーリーチ、プレミアムリーチ等、第１図柄のリーチ種別やその他大まかな図柄変動態様が決定され、第２変動種別カウンタＣＳ２によって、リーチ発生後に最終停止図柄（本実施の形態では中図柄）が停止するまでの経過時間（言い換えれば、変動図柄数）などより細かな図柄変動態様が決定される。従って、これらの変動種別カウンタＣＳ１，ＣＳ２を組み合わせることで、変動パターンの多種多様化を容易に実現できる。また、第１変動種別カウンタＣＳ１だけで図柄変動態様を決定したり、第１変動種別カウンタＣＳ１と停止図柄との組み合わせで同じく図柄変動態様を決定したりすることも可能である。
【０１８７】
変動種別カウンタＣＳ１，ＣＳ２は、後述する通常処理が１回実行される毎に１回更新され、当該通常処理内の残余時間内でも繰り返し更新される。そして、第１図柄表示装置４２による第１図柄の変動開始時における変動パターン決定に際してＣＳ１，ＣＳ２のバッファ値が取得される。
【０１８８】
左・中・右の各外れ図柄カウンタＣＬ，ＣＭ，ＣＲは、第１図柄表示装置４２の大当たり抽選が外れとなった時に左列第１図柄、中列第１図柄、右列第１図柄の停止図柄（外れ図柄）を決定するためのものであり、各列では主図柄及び副図柄の合わせて２０の第１図柄の何れかが表示されることから、各々に２０個（０〜１９）のカウンタ値が用意されている。外れ図柄カウンタＣＬにより左図柄列の上・中・下段の各図柄が決定され、外れ図柄カウンタＣＭにより中図柄列の上・中・下段の各図柄が決定され、外れ図柄カウンタＣＲにより右図柄列の上・中・下段の各図柄が決定される。
【０１８９】
本実施の形態では、ＣＰＵ５０１に内蔵のＲレジスタの数値を用いることにより各カウンタＣＬ，ＣＭ，ＣＲの値をランダムに更新する構成としている。すなわち、各外れ図柄カウンタＣＬ，ＣＭ，ＣＲの更新時には、前回値にＲレジスタの下位３ビットの値が加算され、その加算給果が最大値を超えた場合に２０減算されて今回値が決定される。各外れ図柄カウンタＣＬ，ＣＭ，ＣＲは更新時期が重ならないようにして通常処理内で更新され、それら外れ図柄カウンタＣＬ，ＣＭ，ＣＲの組み合わせが、ＲＡＭ５０３の前後外れリーチ図柄バッファ、前後外れ以外リーチ図柄バッファ及び完全外れ図柄バッファの何れかに格納される。そして、第１図柄の変動開始時における変動パターン決定に際し、リーチ乱数カウンタＣ３の値に応じて前後外れリーチ図柄バッファ、前後外れ以外リーチ図柄バッファ及び完全外れ図柄バッファの何れかのバッファ値が取得される。
【０１９０】
各カウンタの大きさや範囲は一例にすぎず任意に変更できる。但し、大当たり乱数カウンタＣ１、リーチ乱数カウンタＣ３、変動種別カウンタＣＳ１，ＣＳ２の大きさは何れも異なる素数とし、いかなる場合にも同期しない数値としておくのが望ましい。
【０１９１】
また図示は省略するが、第２図柄表示装置４１の抽選には第２図柄乱数カウンタＣ４が用いられる。第２図柄乱数カウンタＣ４は、例えば０〜２５０の範囲内で順に１ずつ加算され、最大値（つまり２５０）に達した後０に戻るループカウンタとして構成されている。第２図柄乱数カウンタＣ４は定期的に（本実施の形態ではタイマ割込み毎に１回）更新され、遊技球が左右何れかの第２の始動口３４を通過した時に取得される。当選することとなる乱数の値の数は１４９あり、その範囲は「５〜１５３」である。
【０１９２】
次いで、主制御装置２６１内のＣＰＵ５０１により実行される各制御処理を図２６〜図３７のフローチャートを参照しながら説明する。かかるＣＰＵ５０１の処理としては大別して、電源投入に伴い起動されるメイン処理と、定期的に（本実施の形態では２ｍｓｅｃ周期で）起動されるタイマ割込み処理と、ＮＭＩ端子（ノンマスカブル端子）への停電信号の入力により起動されるＮＭＩ割込み処理とがあり、説明の便宜上ここでは、先ずタイマ割込み処理とＮＭＩ割込み処理とを説明し、その後でメイン処理を説明する。
【０１９３】
図３１は、タイマ割込み処理を示すフローチャートであり、本処理は主制御装置２６１のＣＰＵ５０１により例えば２ｍｓｅｃ毎に実行される。
【０１９４】
図３１において、先ずステップＳ６０１では、各種入賞スイッチの読み込み処理を実行する。すなわち、主制御装置２６１に接続されている各種スイッチ（但し、ＲＡＭ消去スイッチ３２３を除く）の状態を読み込むと共に、当該スイッチの状態を判定して検出情報（入賞検知情報）を保存する。
【０１９５】
その後、ステップＳ６０２では、乱数初期値カウンタＣＩＮＩの更新を実行する。具体的には、乱数初期値カウンタＣＩＮＩを１インクリメントすると共に、そのカウンタ値が最大値（本実施の形態では６７６）に達した際０にクリアする。そして、乱数初期値カウンタＣＩＮＩの更新値を、ＲＡＭ５０３の該当するバッファ領域に格納する。また、続くステップＳ６０３では、大当たり乱数カウンタＣ１、大当たり図柄カウンタＣ２及びリーチ乱数カウンタＣ３の更新を実行する。具体的には、大当たり乱数カウンタＣ１、大当たり図柄カウンタＣ２及びリーチ乱数カウンタＣ３をそれぞれ１インクリメントすると共に、それらのカウンタ値が最大値（本実施の形態ではそれぞれ、６７６，４９，２３８）に達した際それぞれ０にクリアする。そして、各カウンタＣ１〜Ｃ３の更新値を、ＲＡＭ５０３の該当するバッファ領域に格納する。
【０１９６】
その後、ステップＳ６０４では、第１の始動口３３への入賞に伴う始動入賞処理を実行する。この始動入賞処理を図３２のフローチャートにより説明すると、ステップＳ７０１では、遊技球が第１の始動口３３に入賞したか否かを作動口スイッチ２２４の検出情報により判別する。遊技球が第１の始動口３３に入賞したと判別されると、続くステップＳ７０２では、第１図柄表示装置４２の作動保留球数Ｎが上限値（本実施の形態では４）未満であるか否かを判別する。第１の始動口３３への入賞があり、且つ作動保留球数Ｎ＜４であることを条件にステップＳ７０３に進み、作動保留球数Ｎを１インクリメントする。
【０１９７】
また、続くステップＳ７０４では、第１図柄の当落に関わる乱数を取得する。具体的には、前記ステップＳ６０３で更新した大当たり乱数カウンタＣ１、大当たり図柄カウンタＣ２及びリーチ乱数カウンタＣ３の各値を、ＲＡＭ５０３の保留球格納エリアの空き記憶エリアのうち最初のエリアに格納する。このように始動入賞処理をした後、ＣＰＵ５０１は本タイマ割込処理を一旦終了する。
【０１９８】
図３３は、ＮＭＩ割込み処理を示すフローチャートであり、本処理は、主制御装置２６１のＣＰＵ５０１により停電の発生等によるパチンコ機１０の電源断時に実行される。このＮＭＩ割込みにより、電源断時の主制御装置２６１の状態がＲＡＭ５０３のバックアップエリア５０３ａに記憶される。
【０１９９】
すなわち、停電の発生等によりパチンコ機１０の電源が遮断されると、停電信号Ｓ１が停電監視回路５４２から主制御装置２６１内のＣＰＵ５０１のＮＭＩ端子に出力される。すると、ＣＰＵ５０１は実行中の制御を中断して図３３のＮＭＩ割込み処理を開始する。図３３のＮＭＩ割込み処理は、主制御装置２６１のＲＯＭ５０２に記憶されている。停電信号Ｓ１が出力された後所定時間は、主制御装置２６１の処理が実行可能となるように電源部５４１から電源供給がなされており、この所定時間内にＮＭＩ割込み処理が実行される。
【０２００】
図３３のＮＭＩ割込み処理において、先ずステップＳ８０１では、使用レジスタをＲＡＭ５０３のバックアップエリア５０３ａに退避し、続くステップＳ８０２では、スタックポインタの値を同バックアップエリア５０３ａに記憶する。さらに、ステップＳ８０３では、電源断の発生情報をバックアップエリア５０３ａに設定し、ステップＳ８０４では、電源が速断されたことを示す電源断通知コマンドを他の制御装置に対して送信する。
【０２０１】
ステップＳ８０５ではＲＡＭ判定値を算出し、バックアップエリア５０３ａに保存する。ＲＡＭ判定値は、例えば、ＲＡＭ５０３の作業領域アドレスにおけるチェックサム値である。ステップＳ８０６では、ＲＡＭアクセスを禁止する。その後は、電源が完全に遮断して処理が実行できなくなるのに備え、無限ループに入る。
【０２０２】
なお、上記のＮＭＩ割込み処理は払出制御装置３１１でも同様に実行され、かかるＮＭＩ割込みにより、停電の発生等による電源断時の払出制御装置３１１の状態がＲＡＭ５１３のバックアップエリア５１３ａに記憶される。停電信号Ｓ１が出力された後所定時間は、払出制御装置３１１の処理が実行可能となるように電源部５４１から電源供給がなされるのも同様である。すなわち、停電の発生等によりパチンコ機１０の電源が遮断されると、停電信号Ｓ１が停電監視回路５４２から払出制御装置３１１内のＣＰＵ５１１のＮＭＩ端子に出力され、ＣＰＵ５１１は実行中の制御を中断して図３３のＮＭＩ割込み処理を開始する。その内容は図３３で説明した通りである（但し、この払出制御装置３１１のＮＭＩ割込み処理ではステップＳ８０４の電源断通知コマンドの送信はない）。
【０２０３】
次に、メイン処理について説明する。
図２６は、主制御装置２６１内のＣＰＵ５０１により実行されるメイン処理の一例を示すフローチャートであり、このメイン処理は電源投入時のリセットに伴い起動される。
【０２０４】
先ず、ステップＳ１０１では、電源投入に伴う初期設定処理を実行する。具体的には、スタックポインタに予め決められた所定値を設定すると共に、サブ側の制御装置（音声ランプ制御装置２６２、払出制御装置３１１等）が動作可能な状態になるのを待つために例えば１秒程度、ウエイト処理を実行する。また、ステップＳ１０２では、払出制御装置３１１に対して払出許可コマンドを送信し、続くステップＳ１０３では、ＲＡＭアクセスを許可する。
【０２０５】
その後、ＣＰＵ５０１内のＲＡＭ５０３に関してデータバックアップの処理を実行する。つまり、ステップＳ１０４では、電源装置３１３に設けたＲＡＭ消去スイッチ３２３が押下（ＯＮ）されているか否かを判別し、続くステップＳ１０５では、ＲＡＭ５０３のバックアップエリア５０３ａに電源断の発生情報が設定されているか否かを判別する。また、ステップＳ１０６ではＲＡＭ判定値を算出し、続くステップＳ１０７では、そのＲＡＭ判定値が電源断時に保存したＲＡＭ判定値と一致するか否か、すなわちバックアップの有効性を判別する。ＲＡＭ判定値は、例えばＲＡＭ５０３の作業領域アドレスにおけるチェックサム値である。なお、ＲＡＭ５０３の所定のエリアに書き込まれたキーワードが正しく保存されているか否かによりバックアップの有効性を判断することも可能である。
【０２０６】
上述したように、本パチンコ機１０では、例えばホールの営業開始時など、電源投入時に初期状態に戻したい場合にはＲＡＭ消去スイッチ３２３を押しながら電源が投入される。従って、ＲＡＭ消去スイッチ３２３がＯＮされていれば、ＲＡＭの初期化処理（ステップＳ１１４等）に移行する。また、電源断の発生情報が設定されていない場合や、ＲＡＭ判定値（チェックサム値等）によりバックアップの異常が確認された場合も同様にＲＡＭ５０３の初期化処理（ステップＳ１１４等）に移行する。つまり、ステップＳ１１４ではＲＡＭ５０３の使用領域を０にクリアし、続くステップＳ１１５ではＲＡＭ５０３の初期化処理を実行する。また、ステップＳ１１６では割込み許可を設定し、後述する通常処理に移行する。
【０２０７】
一方、ＲＡＭ消去スイッチ３２３が押されていない場合には、電源断の発生情報が設定されていること、及びＲＡＭ判定値（チェックサム値等）が正常であることを条件に、復電時の処理（電源断復旧時の処理）を実行する。つまり、ステップＳ１０８では、電源断前のスタックポインタを復帰させ、ステップＳ１０９では、電源断の発生情報をクリアする。ステップＳ１１０では、サブ側の制御装置を電源断時の遊技状態に複帰させるためのコマンドを送信し、ステップＳ１１１では、使用レジスタをＲＡＭ５０３のバックアップエリア５０３ａから復帰させる。さらに、ステップＳ１１２，Ｓ１１３では、割込み許可／不許可を電源断前の状態に復帰させた後、電源断前の番地へ戻り、それから後述する通常処理（図２７参照）に移行する。例えば、通常処理のステップＳ２０２まで実行されて電源断となった場合には、電源断前の番地へ戻り、通常処理のステップＳ２０３から実行されることになる。
【０２０８】
次に、通常処理の流れを図２７のフローチャートを参照しながら説明する。この通常処理では遊技の主要な処理が実行される。その概要として、ステップＳ２０１〜Ｓ２０７の処理が４ｍｓｅｃ周期の定期処理として実行され、その残余時間でステップＳ２０９，Ｓ２１０のカウンタ更新処理が実行される構成となっている。
【０２０９】
図２７において、先ずステップＳ２０１では、前回の処理で更新されたコマンド等の出力データをサブ側の各制御装置に送信する。具体的には、入賞検知情報の有無を判別し、入賞検知情報があれば払出制御装置３１１に対して獲得遊技球数に対応する賞球払出コマンドを送信する。また、第１図柄表示装置４２による第１図柄の変動表示に際して停止図柄コマンド、変動パターンコマンド、確定コマンド等を表示制御装置４５に送信する。なお、第１図柄の変動開始後において、変動パ夕ーンコマンド→左図柄列の停止図柄コマンド→右図柄列の停止図柄コマンド→中図柄列の停止図柄コマンドの順で通常処理の都度１つずつ（すなわち、４ｍｓｅｃ毎に１つずつ）コマンドが送出され、変動時間経過のタイミングで確定コマンドが送出されるようになっている。
【０２１０】
次に、ステップＳ２０２では、変動種別カウンタＣＳ１，ＣＳ２の更新を実行する。具体的には、変動種別カウンタＣＳ１，ＣＳ２を１インクリメントすると共に、それらのカウンタ値が最大値（本実施の形態では１９８，２４０）に達した際それぞれ０にクリアする。そして、変動種別カウンタＣＳ１，ＣＳ２の更新値を、ＲＡＭ５０３の該当するバッファ領域に格納する。続くステップＳ２０３では、左図柄列、中図柄列及び右図柄列の各外れ図柄カウンタＣＬ，ＣＭ，ＣＲの更新を実行する。
【０２１１】
各外れ図柄カウンタＣＬ，ＣＭ，ＣＲの更新処理を詳しく説明すると、図２８に示すように、ステップＳ３０１では、左図柄列の外れ図柄カウンタＣＬの更新時期か否かを判別し、ステップＳ３０２では、中図柄列の外れ図柄カウンタＣＭの更新時期か否かを判別する。そして、左図柄列の更新時期（ステップＳ３０１がＹＥＳ）であればステップＳ３０３に進み、左図柄列の外れ図柄カウンタＣＬを更新する。また、中図柄列の更新時期（ステップＳ３０２がＹＥＳ）であればステップＳ３０４に進み、中図柄列の外れ図柄カウンタＣＭを更新する。さらに、右図柄列の更新時期（ステップＳ３０１，Ｓ３０２が共にＮＯ）であればステップＳ３０５に進み、右図柄例の外れ図柄カウンタＣＲを更新する。ステップＳ３０３〜Ｓ３０５の外れ図柄カウンタＣＬ，ＣＭ，ＣＲの更新では、前回のカウンタ値にＲレジスタの下位３ビットの値を加算すると共にその加算結果が最大値を超えた場合に２０を減算し、その演算結果を外れ図柄カウンタＣＬ，ＣＭ，ＣＲの今回値とする。
【０２１２】
上記ＣＬ，ＣＭ，ＣＲの更新処理によれば、左図柄列、中図柄列及び右図柄列の各外れ図柄カウンタＣＬ，ＣＭ，ＣＲが１回の通常処理で１つずつ順に更新され、各カウンタ値の更新時期が重なることはない。これにより、通常処理を３回実行する毎に外れ図柄カウンタＣＬ，ＣＭ，ＣＲの１セット分が更新されるようになっている。
【０２１３】
その後、ステップＳ３０６では、上記更新した外れ図柄カウンタＣＬ，ＣＭ，ＣＲの組み合わせがリーチ図柄の組み合わせになっているか否かを判別し、リーチ図柄の組み合わせである場合、さらにステップＳ３０７では、それが前後外れリーチであるか否かを判別する。外れ図柄カウンタＣＬ，ＣＭ，ＣＲが前後外れリーチの組み合わせである場合、ステップＳ３０６に進み、その時の外れ図柄カウンタＣＬ，ＣＭ，ＣＲの組み合わせをＲＡＭ５０３の前後外れリーチ図柄バッファに格納する。外れ図柄カタンタＣＬ，ＣＭ，ＣＲが前後外れ以外リーチの組み合わせである場合には、ステップＳ３０９に進み、その時の外れ図柄カウンタＣＬ，ＣＭ，ＣＲの組み合わせをＲＡＭ５０３の前後外れ以外リーチ図柄バッファに格納する。
【０２１４】
また、リーチ図柄以外の組み合わせである場合、ステップＳ３１０では、外れ図柄カウンタＣＬ，ＣＭ，ＣＲの組み合わせが外れ図柄の組み合わせになっているか否かを判別し、外れ図柄の組み合わせになっていれば、ステップＳ３１１に進み、その時の外れ図柄カウンタＣＬ，ＣＭ，ＣＲの組み合わせをＲＡＭ５０３の外れ図柄バッファに格納する。なお、ステップＳ３０６，Ｓ３１０が共にＮＯの場合は、左・中・右で図柄が揃っている、すなわち大当たりの状態に相当するが、かかる場合、外れ図柄カウンタＣＬ，ＣＭ，ＣＲをバッファに格納することなくそのまま本処理を終了する。
【０２１５】
外れ図柄カウンタの更新処理の後、図２７のステップＳ２０４では、払出制御装置３１１より受信した賞球計数信号や払出異常信号を読み込む。その後、ステップＳ２０５では、第１図柄表示装置４２による第１図柄の変動表示を行うための第１図柄変動処理を実行する。この第１図柄変動処理により、大当たり判定や第１図柄の変動パターンの設定などが行われる。但し、第１図柄変動処理の詳細は後述する。
【０２１６】
その後、ステップＳ２０６では、大当たり状態である場合において可変入賞装置３２の大入賞口を開放又は閉鎖するための大入賞口開閉処理を実行する。すなわち、大当たり状態のラウンド毎に大入賞口を開放し、大入賞口の最大開放時間が経過したか、又は大入賞口に遊技球が規定数だけ入賞したかを判定する。そして、これら何れかの条件が成立すると大入賞口を閉鎖する。このとき、遊技球が特定領域を通過したことを条件に大入賞口の連続開放を許容し、これを所定ラウンド数繰り返し実行する。
【０２１７】
また、ステップＳ２０７では、第２図柄表示装置４１による第２図柄の表示制御を実行する。簡単に説明すると、遊技球が第２の始動口３４を通過したことを条件に、その都度の第２図柄乱数カウンタＣ４が取得されると共に第２図柄表示装置４１の表示部４３にて第２図柄の変動表示が実施される。そして、第２図柄乱数カウンタＣ４の値により第２図柄の抽選が実施され、第２図柄の当たり状態になると第１の始動口３３が所定時間開放される。なお説明は省略したが、第２図柄乱数カウンタＣ４も、大当たり乱数カウンタＣ１、大当たり図柄カウンタＣ２及びリーチ乱数カウンタＣ３と同様に、図３１に示すタイマ割込処理にて更新されるようになっている。
【０２１８】
その後、ステップＳ２０８では、次の通常処理の実行タイミングに至ったか否か、すなわち前回の通常処理の開始から所定時間（本実施の形態では４ｍｓｅｃ）が経過したか否かを判別する。そして、次の通常処理の実行タイミングに至るまでの残余時間内において、乱数初期値カウンタＣＩＮＩ及び変動種別カウンタＣＳ１，ＣＳ２の更新を繰り返し実行する（ステップＳ２０９，Ｓ２１０）。つまり、ステップＳ２０９では、乱数初期値カウンタＣＩＮＩの更新を実行する。具体的には、乱数初期値カウンタＣＩＮＩを１インクリメントすると共に、そのカウンタ値が最大値（本実施の形態では６７６）に達した際０にクリアする。そして、乱数初期値カウンタＣＩＮＩの更新値を、ＲＡＭ５０３の該当するバッファ領域に格納する。
【０２１９】
また、ステップＳ２１０では、変動種別カウンタＣＳ１，ＣＳ２の更新を実行する（前記ステップＳ２０２と同様）。具体的には、変動種別カウンタＣＳ１，ＣＳ２を１インクリメントすると共に、それらのカウンタ値が最大値（本実施の形態では１９８，２４０）に達した際それぞれ０にクリアする。そして、変動種別カウンタＣＳ１，ＣＳ２の更新値を、ＲＡＭ５０３の該当するバッファ領域に格納する。
【０２２０】
ここで、ステップＳ２０１〜Ｓ２０７の各処理の実行時間は遊技の状態に応じて変化するため、次の通常処理の実行タイミングに至るまでの残余時間は一定でなく変動する。故に、かかる残余時間を使用して乱数初期値カウンタＣＩＮＩの更新を繰り返し実行することにより、乱数初期値カウンタＣＩＮＩ（すなわち、大当たり乱数カウンタＣ１の初期値）をランダムに更新することができるようになる。
【０２２１】
次に、前記ステップＳ２０５の第１図柄変動処理を図２９のフローチャートを参照して説明する。
【０２２２】
図２９において、ステップＳ４０１では、今現在大当たり中であるか否かを判別する。なお、大当たり中には、大当たりの際に第１図柄表示装置４２で表示される特別遊技の最中と特別遊技終了後の所定時間の最中とが含まれる。続くステップＳ４０２では、第１図柄表示装置４２による第１図柄の変動表示中であるか否かを判別する。そして、大当たり中でなくさらに第１図柄の変動表示中でもない場合、ステップＳ４０３に進み、第１図柄表示装置４２の作動保留球数Ｎが０よりも大きいか否かを判別する。このとき、大当たり中であるか、又は作動保留球数Ｎが０である場合、そのまま本処理を終了する。
【０２２３】
また、大当たり中、第１図柄の変動表示中の何れでもなく且つ作動保留球数Ｎ＞０であれば、ステップＳ４０４に進む。ステップＳ４０４では、作動保留球数Ｎを１減算する。ステップＳ４０５では、保留球格納エリアに格納されたデータをシフトさせる処理を実行する。このデータシフト処理は、保留球格納エリアの保留第１〜第４エリアに格納されているデータを実行エリア側に順にシフトさせる処理であって、保留第１エリア→実行エリア、保留第２エリア→保留第１エリア、保留第３エリア→保留第２ユリア、保留第４エリア→保留第３エリアといった具合に各エリア内のデータがシフトされる。
【０２２４】
その後、ステップＳ４０６では、変動開始処理を実行する。ここで、図３０のフローチャートを用いて変動開始処理の詳細を説明すると、ステップＳ５０１では、保留球格納エリアの実行エリアに格納されている大当たり乱数カウンタＣ１の値に基づいて大当たりか否かを判別する。具体的には、大当たりか否かは大当たり乱数カウンタ値とその時々のモードとの関係に基づいて判別され、前述した通り通常の低確率時には大当たり乱数カウンタＣ１の数値０〜６７６のうち「３３７，６７３」が当たり値であり、高確率時には「６７，１３１，１９９，２６９，３３７，４０１，４６３，５２３，６０１，６６１」が当たり値である。
【０２２５】
大当たりであると判別された場合、ステップＳ５０２では、保留球格納エリアの実行エリアに格納されている大当たり図柄カウンタＣ２の値に対応する図柄、すなわち大当たり図柄を図示しないテーブル（大当たり図柄カウンタＣ２の値と図柄との対応関係を表すテーブル）に基づいて求め、その図柄を停止図柄コマンドに設定する。このとき、大当たり図柄カウンタＣ２の数値０〜４９は、全５つの有効ライン上における５０通りの大当たり図柄の何れかに対応しており、停止図柄コマンドには５０通りの大当たり図柄の何れかが設定される。これらの大当たり図柄のうち予め定められた特定図柄で揃った場合には以後確変状態に移行するが、特定図柄でない図柄（非特定図柄〉で揃った場合には確変状態に移行しない。
【０２２６】
次に、ステップＳ５０３では、大当たり時における変動パターンを決定し、当該変動パターンを変動パターンコマンドに設定する。このとき、ＲＡＭ５０３のカウンタ用バッファに格納されている変動種別カウンタＣＳ１，ＣＳ２の値を確認し、第１変動種別カウンタＣＳ１の値に基づいてノーマルリーチ、スーパーリーチ、プレミアムリーチ等、第１図柄のリーチ種別やその他大まかな図柄変動態様を決定すると共に、第２変動種別カウンタＣＳ２の値に基づいてリーチ発生後に最終停止図柄（本実施の形態では中図柄〉が停止するまでの経過時間（言い換えれば、変動図柄数）などより細かな図柄変動態様を決定する。なお、第１変動種別カウンタＣＳ１の数値とリーチパターンとの関係、第２変動種別カウンタＣＳ２の数値と停止図柄時間との関係は、それぞれにテーブル等により予め規定されている。
【０２２７】
一方、ステップＳ５０１で大当たりではないと判別された場合には、ステップＳ５０４で、保留球格納エリアの実行エリアに格納されているリーチ乱数カウンタＣ３の値に基づいてリーチ発生か否かを判別し、リーチ発生の場合、さらにステップＳ５０５で、同じくリーチ乱数カウンタＣ３の値に基づいて前後外れリーチであるか否かを判別する。本実施の形態では、リーチ乱数カウンタＣ３の値は０〜２３８の何れかであり、そのうち「０，１」が前後外れリーチに該当し、「２〜２１」が前後外れ以外リーチに該当し、「２２〜２３８」がリーチなし（完全外れ）に該当する。
【０２２８】
前後外れリーチ発生の場合、ステップＳ５０６に進み、ＲＡＭ５０３の前後外れリーチ図柄バッファに格納されている左・中・右の各外れ図柄カウンタＣＬ，ＣＭ，ＣＲの各値を停止図柄コマンドに設定する。また、ステップＳ５０７では、前後外れリーチ時における変動パターンを決定し、当該変動パターンを変動パターンコマンドに設定する。このとき、前記ステップＳ５０３と同様に、ＲＡＭ５０３のカウンタ用バッファに格納されている変動種別カウンタＣＳ１，ＣＳ２の値を確認し、第１変動種別カウンタＣＳ１の値に基づいてノーマルリーチ、スーパーリーチ、プレミアムリーチ等、第１図柄のリーチ種別やその他大まかな図柄変動態様を決定すると共に、第２変動種別カウンタＣＳ２の値に基づいてリーチ発生後に最終停止図柄（本実施の形態では中図柄）が停止するまでの経過時間（言い換えれば、変動図柄数）などより細かな図柄変動態様を決定する。
【０２２９】
また、前後外れ以外リーチ発生の場合、ステップＳ５０８に進み、ＲＡＭ５０３の前後外れ以外リーチ図柄バッファに格納されている左・中・右の各外れ図柄カウンタＣＬ，ＣＭ，ＣＲの各値を停止図柄コマンドに設定する。また、ステップＳ５０９では、前後外れ以外リーチ時における変動パターンを決定し、当該変動パターンを変動パターンコマンドに設定する。このとき、ＲＡＭ５０３のカウンタ用バッファに格納されている変動種別カウンタＣＳ１，ＣＳ２の値に基づいて変動パターンが決定されるのは前記ステップＳ５０３等と同様である。
【０２３０】
大当たりでなくリーチでもない場合、ステップＳ５１０に進み、ＲＡＭ５０３の完全外れ図柄バッファに格納されている左・中・右の各外れ図柄カウンタＣＬ，ＣＭ，ＣＲの各値を停止図柄コマンドに設定する。また、ステップＳ５１１では、完全外れ時における変動パターンを決定し、当該変動パターンを変動パターンコマンドに設定する。このとき、リーチ発生しないことで、遊技者の興味は薄れ、多様な図柄変動態様は要求されない。そこで本実施の形態では、ステップＳ５１１において、第１変動種別カウンタＣＳ１だけを用いて（すなわち第２変動種別カウンタＣＳ２を使わずに）図柄変動種別を決定する。上記の通り大当たり時、リーチ発生時、リーチ非発生時のそれぞれで図柄停止コマンド及び変動パターンコマンドの設定が完了すると、本処理を終了する。
【０２３１】
図２９の説明に戻り、ステップＳ４０２がＹＥＳ、すなわち第１図柄の変動表示中である場合には、ステップＳ４０７に進み、変動時間が経過したか否かを判別する。このとき、第１図柄の変動パターンに応じて当該第１図柄の変動時間が決められており、この変動時間が経過した時にステップＳ４０７が肯定判別される。そして、ステップＳ４０８では、変動の停止命令を確定コマンドとして設定し、その後本処理を終了する。
【０２３２】
次に、払出制御装置３１１内のＣＰＵ５１１により実行される払出制御について説明する。図３４は、払出制御装置３１１のメイン処理を示すフローチャートであり、このメイン処理は電源投入時のリセットに伴い起動される。
【０２３３】
先ず、ステップＳ９０１では、電源投入に伴う初期設定処理を実行する。具体的には、スタックポインタに予め決められた所定値を設定すると共に、割込みモードを設定する。また、ステップＳ９０２では、主制御装置２６１から送信される払出許可コマンドを受信するまで待機する。そして、払出許可コマンドを受信した時点でステップＳ９０３に進んでＲＡＭアクセスを許可すると共に、ステップＳ９０４で外部割込みベクタの設定を行う。
【０２３４】
その後、ＣＰＵ５１１内のＲＡＭ５１３に関してデータバックアップの処理を実行する。つまり、ステップＳ９０５では、電源装置３１３に設けたＲＡＭ消去スイッチ３２３が押下（ＯＮ）されているか否かを判別し、続くステップＳ９０６では、ＲＡＭ５１３のバックアップエリア５１３ａに電源断の発生情報が設定されているか否かを判別する。また、ステップＳ９０７ではＲＡＭ判定値を算出し、続くステップＳ９０８では、そのＲＡＭ判定値が電源断時に保存したＲＡＭ判定値と一致するか否か、すなわちバックアップの有効性を判別する。ＲＡＭ判定値は、例えばＲＡＭ５１３の作業領域アドレスにおけるチェックサム値である。なお、ＲＡＭ５１３の所定のエリアに書き込まれたキーワードが正しく保存されているか否かによりバックアップの有効性を判断することも可能である。
【０２３５】
ＲＡＭ消去スイッチ５２３がＯＮされていれば、ＲＡＭの初期化処理（ステップＳ９１５等）に移行する。また、電源断の発生情報が設定されていない場合や、ＲＡＭ判定値（チェックサム値等）によりバックアップの異常が確認された場合も同様にＲＡＭ５１３の初期化処理（ステップＳ９１５等）に移行する。つまり、ステップＳ９１５ではＲＡＭ５１３の全領域を０にクリアし、続くステップＳ９１６ではＲＡＭ５１３の初期化処理を実行する。また、ステップＳ９１７ではＣＰＵ周辺デバイスの初期設定を行うと共に、ステップＳ９１８では割込み許可を設定し、後述する払出制御処理に移行する。
【０２３６】
一方、ＲＡＭ消去スイッチ３２３が押されていない場合には、電源断の発生情報が設定されていること、及びＲＡＭ判定値（チェックサム値等）が正常であることを条件に、復電時の処理（電源断復旧時の処理）を実行する。つまり、ステップＳ９０９では、電源断前のスタックポインタを復帰させ、ステップＳ９１０では、電源断の発生情報をクリアする。また、ステップＳ９１１では、ＣＰＵ周辺デバイスの初期設定を行い、ステップＳ９１２では、使用レジスタをＲＡＭ５１３のバックアップエリア５１３ａから復帰させる。さらに、ステップＳ９１３，Ｓ９１４では、割込み許可／不許可を電源断前の状態に復帰させた後、電源断前の番地へ戻る。
【０２３７】
次に、払出制御処理の流れを図３５のフローチャートを参照しながら説明する。
【０２３８】
図３５において、ステップＳ１００１では、主制御装置２６１からのコマンドを取得し、賞球の総賞球個数を記憶する。ステップＳ１００２では、発射制御装置３１２に対して発射許可の設定を行う。また、ステップＳ１００３では、状態復帰スイッチ３２１をチェックして、状態復帰動作開始と判定した場合に状態復帰動作を実行する。
【０２３９】
その後、ステップＳ１００４では、下皿１５の状態の変化に応じて下皿満タン状態又は下皿満タン解除状態の設定を実行する。すなわち、下皿満タンスイッチの検出信号により下皿１５の満タン状態を判別し、下皿満タンになった時、下皿満タン状態の設定を実行し、下皿満タンでなくなった時、下皿満タン解除状態の設定を実行する。また、ステップＳ１００５では、タンク球の状態の変化に応じてタンク球無し状態又はタンク球無し解除状態の設定を実行する。すなわち、タンク球無しスイッチの検出信号によりタンク球無し状態を判別し、タンク球無しになった時、タンク球無し状態の設定を実行し、タンク球無しでなくなった時、タンク球無し解除状態の設定を実行する。
【０２４０】
その後、ステップＳ１００６では、報知する状態の有無を判別し、報知する状態が有る場合には払出制御装置３１１に設けた７セグメントＬＥＤにより報知する。
【０２４１】
ステップＳ１００７〜Ｓ１００９では、賞球払出の処理を実行する。この場合、貸球の払出不可状態でなく、且つ前記ステップＳ１００１で記憶した総賞球個数が０でなければ（ステップＳ１００７，Ｓ１００８が共にＮＯ）、ステップＳ１００９に進み、賞球制御処理（後述する図３６）を開始する。また、賞球の払出不可状態、又は総賞球個数が０であれば（ステップＳ１００７，Ｓ１００８の何れかがＹＥＳ）、貸球払出の処理に移行する。
【０２４２】
その後、ステップＳ１０１０〜Ｓ１０１２では、貸球払出の処理を実行する。この場合、貸球の払出不可状態でなく、且つカードユニットからの貸球払出要求を受信していれば（ステップＳ１０１０がＮＯ、Ｓ１０１１がＹＥＳ）、ステップＳ１０１２に進み、貸球制御処理（後述する図３７）を開始する。また、貸球の払出不可状態、又は貸球払出要求を受信していなければ（ステップＳ１０１０がＹＥＳ又はＳ１０１１がＮＯ）、後続の球抜きの処理を実行する。
【０２４３】
ステップＳ１０１３では、状態復帰スイッチ３２１をチェックして球抜き不可状態でないこと、及び球抜き動作開始でないことを条件に、払出モータ３５８ａを駆動させ球抜き処理を実行する。続くステップＳ１０１４では、球詰まり状態であることを条件にバイブレータ３６０の制御（バイブモータ制御）を実行する。その後、本払出制御処理の先頭に戻る。
【０２４４】
ここで、図３６に示す賞球制御処理において、ステップＳ１１０１では、払出モータ３５８ａを駆動させて賞球の払出を実行する。続くステップＳ１１０２では、払出モータ３５８ａの回転が正常であるかを払出回転センサの検出結果により判別する。払出モータ３５８ａの回転が正常でなければ、ステップＳ１１０３に進み、払出モータ３５８ａを駆動させてリトライ処理を実行すると共に払出モータ３５８ａの停止処理を実行し、その後、図３５の払出制御処理に戻る。
【０２４５】
また、払出モータ３５８ａの回転が正常であれば、ステップＳ１１０４に進み、遊技球のカウントが正常に行われているか否かを払出カウントスイッチの検出結果により判別する。遊技球のカウントが正常でなければ、ステップＳ１１０５に進み、払出モータ３５８ａを駆動させてリトライ処理を実行すると共に払出モータ３５８ａの停止処理を実行し、その後、図３５の払出制御処理に戻る。
【０２４６】
さらに、遊技球のカウントが正常であれば、ステップＳ１１０６に進み、払出カウントスイッチによる遊技球のカウント数が総賞球個数に達して払出が完了したか否かを判別する。払出が完了していれば、ステップＳ１１０７で払出モータ３５８ａの停止処理を実行し、その後、図３５の払出制御処理に戻る。
【０２４７】
また、図３７に示す貸球制御処理において、ステップＳ１２０１では、払出モータ３５８ａを駆動させて貸球の払出を実行する。続くステップＳ１２０２では、払出モータ３５８ａの回転が正常であるかを払出回転センサの検出結果により判別する。払出モータ３５８ａの回転が正常でなければ、ステップＳ１２０３に進み、払出モータ３５８ａを駆動させてリトライ処理を実行すると共に払出モータ３５８ａの停止処理を実行し、その後、図３５の払出制御処理に戻る。
【０２４８】
また、払出モータ３５８ａの回転が正常であれば、ステップＳ１２０４に進み、遊技球のカウントが正常に行われているか否かを払出カウントスイッチの検出結果により判別する。遊技球のカウントが正常でなければ、ステップＳ１２０５に進み、払出モータ３５８ａを駆動させてリトライ処理を実行すると共に払出モータ３５８ａの停止処理を実行し、その後、図３５の払出制御処理に戻る。
【０２４９】
さらに、遊技球のカウントが正常であれば、ステップＳ１２０６に進み、払出カウントスイッチによる遊技球のカウント数が所定の貸球個数（２５個）に達して払出が完了したか否かを判別する。払出が完了していれば、ステップＳ１２０７で払出モータ３５８ａの停止処理を実行し、その後、図３５の払出制御処理に戻る。
【実施例１】
【０２５０】
次に、本発明のパチンコ機１０のさらなる特徴部分の構成について説明する。
なお、本実施例では、第１図柄表示装置に表示される絵柄が変動表示の後に、所定絵柄の組み合わせで揃って停止したときに開口の前面に備わった扉の開放・閉鎖動作を所定時間内に所定回数繰り返す大入賞口と、他の絵柄の組み合わせで揃って停止したときに開口の前面に備わった扉の開放・閉鎖動作を所定時間内に所定回数繰り返す小入賞口とを備えた構成を例にとって説明する。大入賞口および小入賞口は、本発明の動作部材に相当する。
【０２５１】
図４はパンチン機の正面図、図３８は本実施例に係るパチンコ機の可変表示ユニットの正面図である。
【０２５２】
先ず、遊技盤３０の構成について説明する。図４に示すように、遊技盤３０の略中央下部に可変入賞装置３２と、略中央に可変表示ユニット３５とを備えている。可変入賞装置３２は、大入賞口３２Ａを備えている。
【０２５３】
可変表示装置ユニット３５は、図３８に示すように、第１図柄表示装置４２と、装飾物品４５０と、センターフレーム４７とを備えている。また、装飾物品４５０とセンターフレーム４７とは、図３８に示すように一体化されたものである。センターフレーム４７は、識別情報（第１図柄）等を表示画面に変動表示するための第１図柄表示装置４２の所定部分を覆うように配設されている。
【０２５４】
第１図柄表示装置４２は、液晶表示装置などから構成されており、その表示画面には、０〜９の数字の絵柄を１０個、および●、▲、■、…などの図形の絵柄を１０個、回転方向に交互に整列して組み合わせ表示するようになっている。
【０２５５】
装飾物品４５０は、遊技盤３０の右側の遊技領域に配設されており、遊技球通路空間４５１が形成されている。この遊技球通路空間４５１は、ガラス１３７と装飾物品４５０の窪み部とにより形成された、遊技球Ｂａを通過させるための空間である。つまり、装飾物品４５０の表面側に形成された窪み部とガラス１３７の裏面側との間を遊技球Ｂａが通過できるようになっている。
【０２５６】
また、遊技球通路空間４５１は、遊技球Ｂａが入力される２箇所の入口Ｉ１，Ｉ２から遊技球Ｂａが出力される３箇所の出口Ｏ１，Ｏ２，Ｏ３までの範囲に形成されている。３箇所の出口Ｏ１，Ｏ２，Ｏ３のうちの１箇所の出口Ｏ１には、大当たり絵柄が第１図柄表示装置４２に表示されたときに開口の前面に備わった扉の開放・閉鎖を所定回数繰り返す動作をし、１個の遊技球Ｂａが入賞（入球）可能な小入賞口４３０が設けられている。遊技球通路空間４５１の装飾物品４５０の窪み部の断面形状は、「Ｖ」字状の溝になっており、この溝に沿いながら遊技球Ｂａは遊技球通路空間４５１の入口Ｉ１，Ｉ２から出口Ｏ１，Ｏ２，Ｏ３へ案内されるようになっている。なお、遊技球通路空間４５１の装飾物品４５０の窪み部の断面形状は、「Ｕ」字状、凹型の溝など種々の形状であってもよい。
【０２５７】
次に、上記実施例のパチンコ機１０に係る制御系のついて具体的に説明する。図３９は本実施例のパチンコ機１０に係る制御系の概略構成を示したブロック図である。
【０２５８】
前述したように、主制御装置２６１は、パチンコ機１０の遊技を統括制御するものであり、図３９に示すように、第１図柄表示装置４２での第１図柄の変動表示結果が予め設定した特定の図柄の組合せ（大当り図柄）となったことを必要条件に、遊技者にとって有利な特別遊技状態を発生させる機能を有するものである。要するに、主制御装置２６１は、「０」〜「６７６」までの値をとり得る大当たり乱数カウンタＣ１（特別遊技状態となるか否かを決定するための第１乱数群）の値（第１乱数）に基づいて特別遊技状態を発生させているのである。
【０２５９】
具体的には、図２３に示す主制御装置２６１のＣＰＵ５０１は、大当たり乱数カウンタＣ１を発生させる第１乱数発生部４００（第１乱数群発生機能）を有している。主制御装置２６１のＲＡＭ５０３は、第１の始動口３３に遊技球が入賞する毎に、このＲＡＭ５０３の保留球格納エリアのうちの大当たり乱数カウンタＣ１の値を記憶するエリア（第１乱数記憶部４０２）を備えている。また、主制御装置２６１のＣＰＵ５０１は、この保留球格納エリアに記憶された大当たり乱数カウンタＣ１の値が当り値であるか否かを判定する第１判定部４０４（判定機能）をも有している。
【０２６０】
なお、第１の始動口３３に設けられた作動口スイッチ２２４での遊技球の入賞検出のタイミングで、第１乱数発生部４００での大当り乱数カウンタＣ１の値（第１乱数）がＲＡＭ５０３の保留球格納エリア（第１乱数記憶部４０２）に記憶されるようになっている。また、低確率時においては、第１判定部４０４は、第１乱数記憶部４０２に記憶された大当り乱数カウンタＣ１の値（第１乱数）が２個の値「３３７，６７３」であれば大当りと判定し、そうでなければ外れと判定する。また、高確率時においては、第１判定部４０４は、第１乱数記憶部４０２に記憶された大当り乱数カウンタＣ１の値（第１乱数）が１０個の値「６７，１３１，１９９，２８９，３３７，４０１，４６３，５２３，６０１，６６１」であれば大当りと判定し、そうでなければ外れと判定する。上述の第１乱数発生部４００，第１判定部４０４は、ＣＰＵ５０１に所定のプログラムを実行させることで実現されている。なお、第１判定部４０４は、本発明の判定手段に相当する。
【０２６１】
そして、ＣＰＵ５０１で大当たり乱数カウンタＣ１の値が当り値であると判定した場合には、主制御装置２６１から可変入賞装置３２に特別遊技状態とするための信号が出力される。可変入賞装置３２は、主制御装置２６１からの当該指示に基づいて、遊技球が入賞しやすい開状態と通常の閉状態とに繰り返し作動するという大当たり動作を実行する。
【０２６２】
また、主制御装置２６１は、図３９に示すように、第１の始動口３３での遊技球の入賞検出に基づいて、第１図柄表示装置４２に表示させるべき変動表示演出を決定し、この決定した変動表示演出の実行を表示制御装置４５に指示する。具体的には、主制御装置２６１は、第１の始動口３３への遊技球の入賞検出時における各種のカウンタ値（例えば、リーチ乱数カウンタＣ３や変動種別カウンタＣＳ１やその他のカウンタなど）に基づいて、第１図柄表示装置４２に表示させるべき変動表示演出を決定し、この決定した変動表示演出の実行を示唆する各種のコマンド（例えば、変動パターンコマンドや停止図柄コマンドや確定コマンドなど）を表示制御装置４５に出力指示する。つまり、主制御装置２６１は、第１図柄の変動表示における変動の態様を指示する変動パターンをコード化した変動パターン指令としての変動パターンコマンドと、変動停止時の第１図柄を示す停止識別情報指令としての停止図柄コマンドとを表示制御装置４５に送信し、その後に、第１図柄を停止させるタイミングを示す識別情報確定指令としての確定コマンドを所定のタイミングで表示制御装置４５に送信する構成となっている。
【０２６３】
さらに、主制御装置２６１のＣＰＵ５０１は、図３９に示すように、遊技状態切換部４０５、第１作動制御部４０６、擬似表示演出指示部４０７、擬似音声指示部４０８、および擬似照明演出指示部４０９を備えている。以下各部について、具体的に説明する。
【０２６４】
なお、上述した第１の始動口３３、第１判定部４０４、遊技状態切換部４０５、第１作動制御部４０６、大入賞口３２Ａ、および小入賞口４３０は、本発明の第２遊技状態移行手段に相当し、擬似表示演出指示部４０７は擬似表示演出指示手段に、擬似音声指示部４０８は擬似音声指示手段に、擬似照明演出指示部４０９は擬似照明演出指示手段にそれぞれ相当する。
【０２６５】
遊技状態切換部４０５は、第１の始動口３３に設けられた作動口スイッチ２２４での遊技球の入賞検出のタイミングで、第１乱数発生部４００での大当り乱数カウンタＣ１の値（第１乱数）がＲＡＭ５０３の保留球格納エリア（第１乱数記憶部４０２）に記憶されたときの大当たり乱数カウンタＣ１の値が第１判定部４０４の判定により、大当たりであると判定した場合に、この大当たりが、通常の確率で発生する大当たりの設定条件（第１遊技状態）であるか、第１遊技状態よりも高い確率で大当たりとなる確率の設定条件（第２遊技状態）であるかを選択して切り換える。この切り換えたこによる指示を後述する第１作動制御部４０６に送信する。
【０２６６】
また、大当たりであって、そのときの大当たり図柄の組み合わせに応じて、大入賞口３２Ａまたは小入賞口４３０の開放・閉鎖を所定回数繰り返す動作をするように第１作動制御部４０６に指示する。具体的には、大当たり絵柄が数字図柄０〜９のいずれかで、図４０に示す水平方向のＬ１〜Ｌ２のいずれか、または対角方向のＬ４，Ｌ５に同じ数字図柄の組み合わせで揃った状態（図４０ではＬ５で数字図柄１が揃っている）で、第１図柄表示装置４２に表示されたとき、その絵柄の停止と略同時に大入賞口３２Ａの扉が開放・閉鎖を所定回数繰り返す動作をするように第１作動制御部４０６に指示する。また、大当たり絵柄が●、▲、■、…などの図形図柄が、図４１に示す水平方向のＬ１〜Ｌ２のいずれか、または対角方向のＬ４，Ｌ５に同じ組み合わせで揃った状態（図４１ではＬ２で図形図柄●が揃っている）で、第１図柄表示装置４２に表示されたとき、その絵柄の停止と略同時に小入賞口４３０の扉が開放・閉鎖を所定回数繰り返す動作をするように第１作動制御部４０６に指示する。
【０２６７】
第１作動制御部４０６は、遊技状態切換部４０５からの指示にしたがって、大入賞口３２Ａと小入賞口４３０とが異なる動作をするように制御する。つまり、本実施例では、小入賞口４３０の扉の開放・閉鎖を繰り返す動作が大入賞口３２Ａの扉の開放・閉鎖を繰り返す動作よりも認識しづらいように作動制御するようになっている。具体的に本実施例の場合、大入賞口３２Ａは、絵柄停止と略同時に１５秒間開放した後に閉鎖する１セットの動作を１６ラウンド行い、小入賞口４３０は、絵柄停止と略同時に１秒間隔で開放・閉鎖する１セットの動作を２ラウンド繰り返すようになっている。
【０２６８】
擬似表示制御部４０７は、所定の条件に応じた外れ絵柄が第１図柄表示装置４２に表示されたときに、大当たり状態のときに第１図柄表示装置４２に表示される表示演出と同じ表示演出が擬似的に行われるように、その指示を表示制御装置４２に送信するようになっている。
【０２６９】
この擬似表示演出を実行させる所定条件としては、例えば、大当たり乱数カウンタＣ１の値が、大当たりとなる１０個の値を除く、他の複数個の値を擬似表示乱数カウンタとして予め設定しておいてもよいし、外れ図柄カウンタＣＬ、ＣＭ、ＣＲの所定の値の組み合わせを擬似表示カウンタ値として予め設定してもよいし、実行する時間間隔をランダムに設定してもよい。これら設定条件は、予め組み込まれたプログラムによって、その値を適時に変更することで可能としている。
【０２７０】
なお、擬似表示演出としては、例えば、所定絵柄の組み合わせで揃って大当たり状態となった以後に行われる表示演出であって、第１図柄表示装置４２に表示される背景を異なる色に切り換えて連続的に点滅させるなどの表示演出や、単純に背景を同じ色にしたり、同じキャラクタが登場したりするなどの種々のパターンが挙げられる。
【０２７１】
擬似音声指示部４０８は、所定の条件に応じた外れ絵柄が第１図柄表示装置４２に表示されたときに、大当たり状態となったときに第１図柄表示装置４２に表示される表示演出と同時に音出力口２４から出力される音、音声、音楽およびこれらの組み合わせと同じ音声類が擬似的に出力されるように、その指示を音声ランプ制御装置２６２に送信するようになっている。なお擬似音声の出力は、擬似表示演出と同調して行われるようになっている。
【０２７２】
擬似照明演出指示部４０９は、所定の条件に応じた外れ図柄が第１図柄表示装置４２に表示されたときに、大当たりのときに第１図柄表示装置４２に表示される表示演出と同時にパチンコ機１０に備わったランプ類などの照明手段が点滅して実行される照明演出と同じ照明演出を擬似的に行うように、その指示を音声ランプ制御装置２６２に送信するようにっている。なお、擬似照明演出は、擬似表示演出および擬似音声の出力と同調して行われるようになっている。
【０２７３】
なお、擬似音声の出力および擬似照明演出のそれぞれも擬似表示演出と同様にプログラムなどによってＣＰＵ５０１によって実行されるものである。
【０２７４】
以上のようにパチンコ機１０を構成することにより、第１乱数発生部４００で発生した大当たり乱数カウンタＣ１の値を第１判定部４０４で判定した結果、大当たり値であった場合に、通常の大当たりである第１遊技状態、または第１遊技状態よりも遊技者にとって有利となる大当たりの発生の確率が高くなる第２遊技状態（確変状態）であるかを選択的に切り換えることができる。また、第１判定部４０４の判定結果によって送られるコマンドを遊技状態切換部４０５を介して第１作動制御部４０６に送信することにより、この第１作動制御部４０６が、遊技盤３０に備えた大入賞口３２Ａと小入賞口４３０のいずれか一方の扉を開放・閉鎖を所定回数繰り返す動作をさせるように切り換えが可能となる。すなわち、２個の経緯で確変状態に移行させることができる。
【０２７５】
したがって、遊技者は、従来のパチンコ機では所定の同じ数字図柄の組み合わせで揃ったときに大入賞口３２Ａの扉が開放・閉鎖を所定回数繰り返す動作をする画一的な経緯によって、確変状態になったことを容易、かつ、明確と判断することができる。しかしながら、本実施例では、所定の同じ図形図柄の組み合わせで揃ったときに確変状態となっているが、大入賞口３２Ａの扉は開放・閉鎖を所定回数繰り返す動作をせずに、この大入賞口３２Ａよりも小さい小入賞口４３０の扉が開放・閉鎖の動作をする経緯を経るので視認しづらくすることができる。さらに、小入賞口４３０の動作自体が、図形図柄の組み合わせが揃うと略同時に１秒間間隔で２回しか扉が開放・閉鎖の動作を繰り返さないので、その動作が視認しづらくて見逃してしまう。したがって、遊技者は、確変状態になったか否かを容易に判断することができない。換言すれば、遊技者は、図形図柄の組み合わせが第１図柄表示装置４２に揃ったときは、外れであると誤解して遊技に対する興趣が減退した状態で遊技を継続することになる。このような状態で、遊技者が遊技を継続していると、実際は確変状態にあるので、大当たりが連続し、突然に確変状態になったと錯覚する。つまり、遊技者は、遊技に対する興趣が減退した状態から一気にその興趣が高調させられて、遊技に対する面白みが増大する。すなわち、遊技に対する興趣性の向上を図ることができる遊技機としてのパチンコ機を実現できる。
【０２７６】
また、第１図柄表示装置４２に外れ図柄が表示されているにも関わらず、所定条件に基づいて確変状態になったときに第１図柄表示装置４２に変動表示される表示演出と、この表示演出に同調して実行される音声、照明演出と同じ演出を行うように構成することにより、遊技者は、パチンコ機１０がどうのような状態になったときに確変状態になったかを判断できなくなる。換言すれば、図形図柄の組み合わせで揃った絵柄が第１図柄表示装置４２に表示されたときに確変状態なっているにも関わらず、あたかも外れであって確変状態になっていないと誤解させるのに有効となる。したがって、図形図柄の組み合わせが揃って外れであると誤解したまま遊技者が遊技を継続していると、あたかも突然に確変状態になったと錯覚し、遊技者の遊技に対する興趣が高調させられて面白みが、一層増大する。
【０２７７】
また、遊技者が、遊技機であるパチンコ機１０に面白みを得ることにより、遊技を継続的に行いたい気持ちを抱かせることができるので、ホール（遊技場）への来場回数が増える。その結果、ホール管理者にとっては、パチンコ機１０の可動率の向上を図ることができる。
【実施例２】
【０２７８】
上記実施例では、図形図柄の組み合わせが揃って第１図柄表示装置４２に表示されるとともに、小入賞口４３０の扉が開放・閉鎖を所定回数繰り返す動作をするときに確変に移行するように構成していたが、本実施例では、小入賞口４３０の扉の開放・閉鎖の動作以外に装飾部材の一部が動作するように構成した場合を例に採って説明する。
【０２７９】
図４２は、装飾部品４５の要部構成を示す正面面図、図４３は、搖動部材４５２Ａの要部およびその周辺の構成を示す側面図である。なお、図４２では、小入賞口４３０の前面に備わった扉４１０が手前側に倒れて開放状態にある。
【０２８０】
図３８および図４２に示すように、センターフレーム４７の右側に一体化形成された装飾物品４５０には、さらに図中右斜め下側に動物のクマの形状をした動物装飾物品４５２を備えている。この動物装飾部材４５２は、腕に相当する部分が搖動可能な揺動部材４５２Ａを備えている。
【０２８１】
搖動部材４５２Ａは、図４３に示すように、その肩に相当する部分を基端として軸支され、当該軸部４５３にモータなどの駆動機構からの動力が伝達され左右に搖動するように構成されている。また、その遊端部の裏面には、遊技盤３０の面に向かって板状の閉塞部材４５４が立設されている。つまり、搖動部材４５２Ａは、図４４に示すように、その遊端部が小入賞口４３０に通じる遊技球通路空間４５１の図中上部の待機位置Ｐ１と、当該遊技球空間通路４５１を上手側の小入賞口４３０とは異なる方向（出口Ｏ２側）に遊技球を誘導するように分岐された図４４に示す分岐位置Ｐ２とに亘って搖動する。この搖動にともなって、遊端部が分岐位置Ｐ２に搖動したとき、裏面の閉塞部材４５４が、小入賞口４３０側に向かう遊技球通路空間４５１を閉塞するようになっている。
【０２８２】
次に、上記構成を有すパチンコ機１０の電気的構成について説明する。なお、上記実施例１と作動制御部と遊技状態切換部の処理および制御機能が異なるとともに、第１作動制御部４０６が制御する対象が大入賞口３２Ａと小入賞口４３０以外に搖動部材４５２Ａが追加された点で異なる。したがって、同じ構成については同一符号を付すに留め、異なる部分について具体的に説明する。
【０２８３】
図４５は、パチンコ機１０の制御系の概略構成を示したブロック図である。
【０２８４】
本実施例のパチンコ機１０の主制御装置２６１のＣＰＵ５０１は、図４５に示すように、さらに、遊技状態切換部４０５Ａ、第２作動制御部４０６Ａ、擬似表示演出指示部４０７、擬似音声指示部４０８、および擬似照明演出指示部４０９を備えている。
【０２８５】
遊技状態切換部４０５は、第１の始動口３３に設けられた作動口スイッチ２２４での遊技球の入賞検出のタイミングで、第１乱数発生部４００での大当り乱数カウンタＣ１の値（第１乱数）がＲＡＭ５０３の保留球格納エリア（第１乱数記憶部４０２）に記憶されたときの大当たり乱数カウンタＣ１の値が第１判定部４０４の判定により、大当たりであると判定した場合に、この大当たりが、通常の確率で発生する大当たり（以下、適宜、「通常大当たり」という）の設定条件（第１遊技状態）であるか、第１遊技状態よりも高い確率で大当たりとなる確率（以下、適宜、「確変大当たり」という）の設定条件（第２遊技状態）であるかを選択して切り換える。さらに、第１乱数発生部４００での大当り乱数カウンタＣ１の値が大当たり以外の外れを示す値であっても、リーチ乱数カウンタＣ３の値がリーチをなる値である場合、およびリーチとなる場合であって変動種別カウンタの値によってリーチ予告をさせることが決まった場合を含め、いずれの条件であるかを適宜に選択している。この切り換えたことによる指示を後述する第２作動制御部４０６Ａに送信する。
【０２８６】
また、切り換えの指示は、選択した条件である通常大当たり、確変大当たり、外れリーチ、およびリーチ予告のそれぞれに応じて異なっている。大当たりの場合は大当たり図柄の組み合わせに応じて、大入賞口３２Ａまたは小入賞口４３０の扉４１０の開放・閉鎖を所定回数繰り返す動作させるとともに、揺動部材４５２Ａも揺動させるように第２作動制御部４０６Ａに指示する。
【０２８７】
具体的には、大当たり絵柄が数字図柄０〜９のいずれかで、図４０に示す水平方向のＬ１〜Ｌ２のいずれか、または対角方向のＬ４，Ｌ５に同じ数字図柄の組み合わせで揃った通常の大当たり状態（図４０ではＬ５で数字図柄１が揃っている）で、第１図柄表示装置４２に表示されたとき、その絵柄の停止と略同時に大入賞口３２Ａの扉４１０が開放・閉鎖を所定回数繰り返す動作をするように第２作動制御部４０６Ａに指示する。また、大当たり絵柄が●、▲、■、…などの図形図柄が、図４１に示す水平方向のＬ１〜Ｌ２のいずれか、または対角方向のＬ４，Ｌ５に同じ組み合わせで揃った確変大当たり状態（図４１ではＬ２で図形図柄●が揃っている）で、第１図柄表示装置４２に表示されたとき、その絵柄の停止と略同時に小入賞口４３０の扉４１０が開放・閉鎖を所定回数繰り返す動作をするように第２作動制御部４０６Ａに指示する。この図柄図形が揃ったときは、小入賞口４３０以外の揺動部材４５２Ａも小入賞口４３０の動作と連動して待機位置Ｐ１と分岐位置Ｐ２とに亘って揺動するように第２作動制御部４０６Ａに指示する。
【０２８８】
さらに、大当たり以外の外れであっても、第１図柄表示装置４２に数字図柄および図形図柄のいずれかが、図４１に示す水平方向のＬ１〜Ｌ２のいずれか、または対角方向のＬ４，Ｌ５に同じ絵柄が２個揃い、残り１個の絵柄が同じもので揃えば大当たりとなるようなリーチの表示演出の場合と、数字図柄および絵柄組などを含む識別情報が高速回転で変動表示している最中に、突然にキャラクタなどが登場し、当該高速回転の変動表示の後に大当たりを示唆するリーチ予告の表示演出がされたとき、動物装飾物品４５２の揺動部材４５２Ａを待機位置Ｐ１から分岐位置Ｐ２に搖動させるように第２動作制御部４０５Ａに指示する。なお、大当たり以外に外れの場合のリーチの表示演出およびリーチ予告演出は、本発明の示唆表示演出に相当する。
【０２８９】
第２作動制御部４０６Ａは、遊技状態切換部４０５から送信される指示にしたがって、大入賞口３２Ａ、小入賞口４３０、および搖動部材４５２Ａのそれぞれを動作させる。具体的には、遊技状態切換部４０５Ａからの指示が通常大当たりの場合は、第１図柄表示装置４２における絵柄停止と略同時に大入賞口３２Ａの前面に備わった扉４１０を１５秒間開放した後に閉鎖する１セットの動作を１６ラウンド行わせる。
【０２９０】
また、図形図柄が揃って遊技状態切換部４０５Ａからの指示が確変大当たりの場合は、小入賞口４３０の前面に備わった扉４１０の開放・閉鎖を繰り返す動作が大入賞口３２Ａの扉４１０の開放・閉鎖を繰り返す動作よりも認識しづらいように作動制御するようになっている。具体的には、小入賞口４３０は、絵柄停止と略同時に１秒間隔で開放・閉鎖する１セットの動作を２ラウンド繰り返すようになっている。また、この小入賞口４３０の動作に連動して揺動部材４５２Ａも待機位置Ｐ１と分岐位置Ｐ２との間で連続的に揺動する。
【０２９１】
さらに、遊技状態切換部４０５Ａからの指示が外れリーチの表示演出およびリーチ予告の表示演出が行われるような場合、第２作動制御部４０６Ａは、当該小入賞口４３０の動作に連動して搖動部材４５２Ａを待機位置Ｐ１から分岐位置Ｐ２に搖動させる。そして、小入賞口４３０が開放および閉鎖の動作をしている間は、搖動部材４５２Ａを分岐位置Ｐ２で停止させておく。すなわち、外れ状態で小入賞口４３０に遊技球Ｂａが入球しないように制御している。
【０２９２】
以上のようにパチンコ機１０を構成することにより、第１乱数発生部４００で発生した大当たり乱数カウンタＣ１の値を第１判定部４０４で判定した結果に応じて、大当たり値であった場合に、通常の大当たりである第１遊技状態、または第１遊技状態よりも遊技者にとって有利となる大当たりの発生の確率が高くなる第２遊技状態（確変状態）であるかを選択的に切り換えることができる。また、第２判定部４０４の判定結果によって送られるコマンドを遊技状態切換部４０５を介して第２作動制御部４０６Ａに送信することにより、この第２作動制御部４０６Ａが、遊技盤３０に備えた大入賞口３２Ａの扉４１０の開放・閉鎖を所定回数繰り返す動作をさせる場合と、小入賞口４３０の扉４１０が開放・閉鎖を所定回数繰り返す動作をさせるのと連動して揺動部材４５２Ａを揺動させる動作をさせるように切り換えが可能となる。すなわち、２個の経緯で確変状態に移行させることができる。
【０２９３】
また、第１乱数発生部４００で発生した大当たり乱数カウンタＣ１に加えて、リーチ乱数カウンタＣ２および変動種別カウンタの値を第１判定部４０４で判定した結果に応じて、大当たり以外の外れであっても、小入賞口４３０を開放・閉鎖させることができる。つまり、外れリーチ演出および外れであってもリーチ予告演出が第１図柄表示装置４２に表示される場合、小入賞口４３０を動作させることができる。また、この場合、第２作動制御部４０６Ａが小入賞口４３０の動作に連動させて搖動部材４５２を待機位置Ｐ１から分岐位置Ｐ２に搖動移動させることにより、小入賞口４３０の扉４１０が開放しても遊技球Ｂａが入球しないように防いでいる。つまり、小入賞口４３０が開放しても必ず確変大当たりに移行しないので、遊技を継続している遊技者は、どのような状態で確変大当たりに移行するか否かを正確に知ることができない。その結果、遊技者は、確変大当たりに移行した場合に突然に移行したものと錯覚し、面白みを感じる。すなわち、遊技の興趣性の向上を図ることができる遊技機を実現することができる。
【０２９４】
また、第１図柄表示装置４２に外れ図柄が表示されているにも関わらず、所定条件に基づいて確変状態になったときに第１図柄表示装置４２に変動表示される表示演出と、この表示演出に同調して実行される音声、照明演出と同じ演出を行うように構成することにより、遊技者は、パチンコ機１０がどうのような状態になったときに確変状態になったかを判断できなくなる。換言すれば、図形図柄の組み合わせで揃った絵柄が第１図柄表示装置４２に表示されたときに確変状態なっているにも関わらず、あたかも外れであって確変状態になっていないと誤解させるのに有効となる。したがって、図形図柄の組み合わせが揃って外れであると誤解したまま遊技者が遊技を継続していると、あたかも突然に確変状態になったと錯覚し、遊技者の遊技に対する興趣が高調させられて面白みが、一層増大する。
【０２９５】
また、遊技者が、遊技機であるパチンコ機１０に面白みを得ることにより、遊技を継続的に行いたい気持ちを抱かせることができるので、ホール（遊技場）への来場回数が増える。その結果、ホール管理者にとっては、パチンコ機１０の可動率の向上を図ることができる。
【実施例３】
【０２９６】
上記実施例では、上記実施例２の機械的な構成において、小入賞口４３０が、その前面に扉４１０を備えておらず、当該小入賞口への遊技球Ｂａの入球の許可または阻止を揺動部材４５２Ａの動作によって決定している場合を例に採って説明する。なお、機械的構成について第２実施例と同じ構成については同一符号を付すに留め、異なる構成について具体的に説明する。
【０２９７】
図４６は装飾部品の要部構成を示す正面図、図４７は装飾部品の動作を説明する正面図である。
【０２９８】
図４６および図４７に示すように、小入賞口４３０は、上部に開口が形成されており、遊技球通路空間から流下してきた遊技球Ｂａが入球可能な状態になっている。また、装飾部材４５０に形成された複数本の遊技球通路空間４５１のうちの１本は上部から小入賞口４３０に向かって形成され、小入賞口４３０の上部に出口０１が形成されている。また、当該遊技球通路空間４５１は、その上流で分岐されている。小入賞口４３０とは異なる方向に分岐された遊技球通路空間４５１は、図中右側に形成された出口０２に向けて遊技球Ｂａを流下させるようになっている。
【０２９９】
また、装飾部材４５０と一体化された動物装飾部材４５２に備わった揺動部材４５２Ａは、図  に示すように、裏面に閉塞部材４５４が立設されている。また、揺動部材４５２Ａは、小入賞口４３０に向かう遊技球通路空間４５１への遊技球Ｂａの流下を阻止する分岐位置Ｐ２と、小入賞口４３０に向かう遊技球通路空間４５１への遊技球の流下を許可する遊技球通路空間４５１から外れた図中左側の許可位置Ｐ１とに亘って移動するようになっている。
【０３００】
次に上記構成を有するパチンコ機１０の電気的構成について図４７を参照しながら説明する。なお、上記実施例１および実施例２の小入賞口４３０の前面に備わった扉の代わりに、所定条件が成立した場合に揺動部材４５２Ａを揺動させるように構成されており、揺動部材４５２Ａの処理・制御のみが異なるので、同じ部分には同一符号を付すに留め、異なる部分について具体的に説明する。
【０３０１】
なお、図４８は、本実施例に係るパチンコ機の制御系の概略構成を示したブロック図である。
【０３０２】
遊技状態切換部４０５は、第１判定部４０４の判定により、乱数カウンタＣ１が大当たりであると判定された場合に、この大当たりが、通常の確率で発生する大当たり（以下、適宜、「通常大当たり」という）の設定条件（第１遊技状態）であるか、第１遊技状態よりも高い確率で大当たりとなる確率（以下、適宜、「確変大当たり」という）の設定条件（第２遊技状態）であるかを選択して切り換え、当該切り換えたことによる指示を後述する第３作動制御部４０６Ｂに送信する。
【０３０３】
当該切り換えの指示は、選択した条件である通常大当たり、確変大当たりのそれぞれに応じて異なっている。大当たりの場合は大当たり図柄の組み合わせに応じて、大入賞口３２Ａの扉の開放・閉鎖を所定回数繰り返す動作をするように第３作動制御部４０６Ｂに指示する。また、確変大当たりとなった場合は、揺動部材４５２Ａが分岐位置Ｐ２から許可位置Ｐ１に亘って揺動するように第３作動制御部４０６Ｂに指示する。
【０３０４】
具体的には、大当たり絵柄が数字図柄０〜９のいずれかで、図４０に示す水平方向のＬ１〜Ｌ２のいずれか、または対角方向のＬ４，Ｌ５に同じ数字図柄の組み合わせで揃った通常の大当たり状態（図４０ではＬ５で数字図柄１が揃っている）で、第１図柄表示装置４２に表示されたとき、その絵柄の停止と略同時に大入賞口３２Ａの扉が開放・閉鎖を所定回数繰り返す動作をするように第３作動制御部４０６Ｂに指示する。また、大当たり絵柄が●、▲、■、…などの図形図柄が、図４１に示す水平方向のＬ１〜Ｌ２のいずれか、または対角方向のＬ４，Ｌ５に同じ組み合わせで揃った確変大当たり状態（図４１ではＬ２で図形図柄●が揃っている）で、第１図柄表示装置４２に表示されたとき、その絵柄の停止と略同時に揺動部材４５２Ａが分岐位置Ｐ２と許可位置Ｐ１に亘って連続的に揺動するように第３作動制御部４０６Ｂに指示する。例えば、分岐位置Ｐ２と許可位置Ｐ１の往復揺動で数秒を数回繰り返したり、許可位置Ｐ２で所定時間停止して小入賞口４３０への遊技球Ｂａの入球を許可する状態を維持し、所定時間経過後に分岐位置Ｐ２に戻るようにしたりする。
【０３０５】
また、本実施の場合、通常大当たりとなって場合、当該条件成立の信号が、主制御装置２６１から音声ランプ制御装置２６２に送信される。
【０３０６】
音声ランプ制御装置２６２は、主制御装置２６１から通常大当たり条件成立の信号を受信すると、揺動部材４５２Ａを所定時間、揺動部材４５２Ａを分岐位置Ｐ２と許可位置Ｐ１とにわって連続的に往復揺動させるよう作動制御する。例えば、通常大当たりとなり、大入賞口３２Ａの扉が開放・閉塞の動作を繰り返し行っている間、揺動部材４５２Ａを分岐位置Ｐ２と許可位置Ｐ１とに亘って連続的に揺動させる。つまり、賞球である出球が遊技者に払い出されている間、揺動部材４５２Ａが連続的に揺動する。なお、当該賞球時に揺動部材４５２Ａが許可位置Ｐ１に移動しているとき小入賞口４３０に遊技球Ｂａが入賞したときに確変状態に移行するように構成してもよい。
【０３０７】
なお、音声ランプ制御装置２６２は、本発明の副制御手段に相当する。
【０３０８】
以上のようにパチンコ機１０を構成することにより、第１乱数発生部４００で発生した大当たり乱数カウンタＣ１の値を第１判定部４０４で判定した結果に応じて、大当たり値であった場合に、通常の大当たりである第１遊技状態、または第１遊技状態よりも遊技者にとって有利となる大当たりの発生の確率が高くなる第２遊技状態（確変状態）であるかを選択的に切り換えることができる。また、第１判定部４０４の判定結果によって送られる確変であるコマンドを遊技状態切換部４０５を介して第３作動制御部４０６Ｂに送信することにより、この第３作動制御部４０６Ｂが、遊技盤３０に備えた大入賞口３２Ａの扉の開放・閉鎖を所定回数繰り返す動作と、揺動部材４５２Ａを分岐位置Ｐ２と許可位置Ｐ１とに亘って揺動させるように切り換えが可能となる。すなわち、動作部材である大入賞口３２Ａの扉と揺動部材４５２Ａの動作からなる２個の経緯で確変状態に移行させることができる。
【０３０９】
また、本実施例の場合、通常大当たりの場合や賞球時にも揺動部材４５２Ａが動作する。そのため、第１図方表示装置に図形図柄が揃って確変状態に移行したときのみならず、他の所定条件が成立した場合の遊技状態に応じて揺動部材４５２Ａが揺動するので、遊技者が確変状態に移行することの条件を容易に知ることができない。すなわち、遊技者は、確変大当たりに移行した場合に突然に移行したものと錯覚し、面白みを感じる。すなわち、遊技の興趣性の向上を図ることができる遊技機を実現することができる。
【０３１０】
また、遊技者が、遊技機であるパチンコ機１０に面白みを得ることにより、遊技を継続的に行いたい気持ちを抱かせることができるので、ホール（遊技場）への来場回数が増える。その結果、ホール管理者にとっては、パチンコ機１０の可動率の向上を図ることができる。
【０３１１】
この発明は、上記実施形態に限られることはなく、下記のように変形実施することができる。
【０３１２】
（１）上述した実施例２では、通常大当たりおよび確変大当たり以外にリーチ表示演出およびリーチ予告の表示演出が第１図柄表示装置４２に表示された場合においても、小入賞口４３０が開放・閉鎖する動作を行っていたが、当該条件の場合は、小入賞口４３０は動作させずに、搖動部材４５２Ａのみを搖動させるようにしてもよい。また、搖動部材４５２Ａをランダムに作動するように構成してもよい。この構成の場合、電気的構成を図４９に示すように、構成すればよい。つまり、作動制御部４０６Ａが搖動部材４５２Ａを独立して動作制御するようにすればよい。
【０３１３】
この構成によれば、確変状態に移行するのを、より分かりづらくすることができる。なお、小入賞口４３０が開放・閉鎖の動作をしないときに搖動部材４５２Ａが動作する場合、待機位置と分岐位置とに亘って所定時間、連続して搖動させてもよい、搖動する搖動距離（振幅）を小さくして搖動部材４５２Ａの動作を分かりづらくしてもよい。その結果、遊技を継続している遊技者は、確変状態に突然に移行したものと錯覚し、面白みを感じる。すなあち、上記実施例と同様の効果を奏する。
【０３１４】
（２）上述した実施例１では、数字図柄と図形図柄とに分けて大入賞口３２Ａと小入賞口４３０の開放・閉鎖を所定回数繰り返す動作をするように切り換えていたが、この形態に限定されず、所定数の数字図柄の組み合わせと所定数の図形図柄の組み合わせとからなる図形群を２組に分けて、一方の組の絵柄の組み合わせが第１図柄表示装置４２に表示されたときに、大入賞口３２Ａが開放・閉鎖を所定回数繰り返す動作をし、他方の絵柄の組み合わせが第１図柄表示装置４２に表示されたときに、小入賞口４３０が開放・閉鎖を所定回数繰り返す動作をするようにしてもよい。また、絵柄についても、数字図柄、図形図柄以外に文字図柄や絵図柄などを用いてもよい。このように複数組の図柄を設定することにより、上記実施例と同様の効果を奏する。
【０３１５】
（３）上述した各実施例では、外れ図柄が第１図柄表示装置４２に表示されたときであっても所定条件が成立したときに、特別遊技状態となったときと同じ表示演出、音声、および照明演出の全てを擬似的に実行するように構成していたが、これらの演出のうちのいずれか１つ、または２つを組み合わせて実行するようにしてもよい。
【０３１６】
（４）上述した実施例２では、確変大当たり以外の外れの条件が選択された場合に小入賞口４３０が開放・閉鎖の動作をする場合は、動物装飾物品の一部である搖動部材４５２Ａを利用して小入賞口４３０への遊技球Ｂａの入球を防いでいたが、搖動部材４５２Ａ以外に、小入賞口４３０への入球を妨げるよう機構を設けてもよい。例えば、遊技盤面から板状の入球防止用の板などが突き出たり、遊技球通路空間の側面から入球防止用の板が突き出たりする機構などが挙げられる。
【０３１７】
（５）本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり絵柄が表示された後に、所定の領域に球を入賞されることを必要条件として特別遊技状態となるパチンコ機として実施してもよい。また、球が所定の入賞口に入ることで特別遊技状態となるパチンコ機として実施してもよい。
【産業上の利用可能性】
【０３１８】
以上のように、この発明は、パチンコ機やスロットマシン等の遊技機に適している。
【符号の説明】
【０３１９】
３２  …  大入賞口
２６１  …  主制御装置
４００  …  第１乱数発生部
４０４  …  第１判定部
４０５  …  遊技状態切換部
４０６  …  作動切換部
４０７  …  擬似表示演出指示部
４０７  …  擬似音声指示部
４０７  …  擬似照明演出指示部
４３０  …  小入賞口
５０１  …  ＣＰＵ
【図１】
2014147733.tif 000003
【図２】
2014147733.tif 000004
【図３】
2014147733.tif 000005
【図４】
2014147733.tif 000006
【図５】
2014147733.tif 000007
【図６】
2014147733.tif 000008
【図７】
2014147733.tif 000009
【図８】
2014147733.tif 000010
【図９】
2014147733.tif 000011
【図１０】
2014147733.tif 000012
【図１１】
2014147733.tif 000013
【図１２】
2014147733.tif 000014
【図１３】
2014147733.tif 000015
【図１４】
2014147733.tif 000016
【図１５】
2014147733.tif 000017
【図１６】
2014147733.tif 000018
【図１７】
2014147733.tif 000019
【図１８】
2014147733.tif 000020
【図１９】
2014147733.tif 000021
【図２０】
2014147733.tif 000022
【図２１】
2014147733.tif 000023
【図２２】
2014147733.tif 000024
【図２３】
2014147733.tif 000025
【図２４】
2014147733.tif 000026
【図２５】
2014147733.tif 000027
【図２６】
2014147733.tif 000028
【図２７】
2014147733.tif 000029
【図２８】
2014147733.tif 000030
【図２９】
2014147733.tif 000031
【図３０】
2014147733.tif 000032
【図３１】
2014147733.tif 000033
【図３２】
2014147733.tif 000034
【図３３】
2014147733.tif 000035
【図３４】
2014147733.tif 000036
【図３５】
2014147733.tif 000037
【図３６】
2014147733.tif 000038
【図３７】
2014147733.tif 000039
【図３８】
2014147733.tif 000040
【図３９】
2014147733.tif 000041
【図４０】
2014147733.tif 000042
【図４１】
2014147733.tif 000043
【図４２】
2014147733.tif 000044
【図４３】
2014147733.tif 000045
【図４４】
2014147733.tif 000046
【図４５】
2014147733.tif 000047
【図４６】
2014147733.tif 000048
【図４７】
2014147733.tif 000049
【図４８】
2014147733.tif 000050
【図４９】
2014147733.tif 000051